(57)【要約】本出願は、消泡剤組成物、並びにこうした組成物を作製及び使用する方法、並びにこうした組成物を含む消費者製品及びその使用に関する。こうした消泡剤組成物は、粘度が低く、やはり有効な消泡剤である。【特許請求の範囲】
【請求項１】
補助成分及び消泡剤を含む組成物であって、前記消泡剤が、
ａ）式（１）の少なくとも１つの加水分解性基を含むオルガノポリシロキサンであって、前記少なくとも１つの加水分解性基が、主鎖で構成される前記オルガノポリシロキサンセグメントの少なくとも１つのケイ素原子に結合しており、前記主鎖が、前記オルガノポリシロキサンの重量に基づいて少なくとも１０モル％、好ましくは、前記オルガノポリシロキサンの重量に基づいて１０％〜４０モル％の量で式（２）のシロキシ単位を含有する、オルガノポリシロキサンと、
【化１】
2021502457.tif 000032
（式中、Ｘは１〜１０個の炭素原子を含む二価の炭化水素基であり、Ｒは独立して、水素原子、又は１〜４個の炭素原子を含む一価の炭化水素基であり、
【化２】
2021502457.tif 000033
式中、Ｒ１は独立して、１〜１２個の炭素原子を含む一価の炭化水素基であり、Ｒ２は、アリール部分、Ｃ６〜Ｃ１２アルキルアリール部分、及びＣ６〜Ｃ１２アルキル部分から独立して選択され、前記部分は任意に、酸素原子又はハロゲン原子を含む）
ｂ）非直鎖状オルガノシリコーン樹脂と、
ｃ）疎水性充填剤と、を含み、前記組成物は洗濯洗剤及び／又は布地向上剤である、組成物。
【請求項２】
前記消泡剤のオルガノポリシロキサンが、式（３）
【化３】
2021502457.tif 000034
（式中、
ａ）各Ｒ１は独立して、１〜１２個の炭素原子を含む一価の炭化水素基であり、好ましくは、Ｒ１は、アルキル部分、アリール部分、アラルキル部分、及びアルケニル部分からなる群から選択される部分を含み、より好ましくは、Ｒ１は、メチル部分、エチル部分、プロピル部分、ブチル部分、ペンチル部分、ヘキシル部分、ヘプチル部分、オクチル部分、ノニル部分、デシル部分、ウンデシル部分、ドデシル部分、及びフェニル部分からなる群から選択される部分を含み、より好ましくは、Ｒ１は、メチル部分、エチル部分、ヘキシル部分、及びオクチル部分からなる群から選択される部分を含み、最も好ましくは、Ｒ１はメチル部分、及びエチル部分を含み、
ｂ）各Ｒ２は、アリール部分、Ｃ６〜Ｃ１２アルキルアリール部分、及びＣ６〜Ｃ１２アルキル部分から独立して選択され、前記部分は任意に酸素原子又はハロゲン原子を含み、好ましくは、各Ｒ２は、フェニル部分、２−フェニルプロピル部分、オイゲノール部分、フェニルプロピル部分、プロピルフェニルエーテル部分、プロピルフェノール部分、２−クロロスチリル部分、４−クロロスチリル部分、４−メチルスチリル部分、３−メチルスチリル部分、４−ｔ−ブチルスチリル部分、２，４−ジメチルスチリル部分、２，５−ジメチルスチリル部分から独立して選択され、より好ましくは、各Ｒ２は２−フェニルプロピル部分から独立して選択され、
ｃ）Ｒ３は、下式（１）の加水分解性有機基であり、
【化４】
2021502457.tif 000035
（式中、各Ｒ３Ｘは独立して二価の炭化水素基であり、好ましくは、各Ｒ３Ｘは独立して、１〜１０個の炭素原子を含むアルキレン部分であり、より好ましくは、各Ｒ３Ｘは、メチレン部分、エチレン部分、プロピレン部分、及びブチレン部分からなる群から独立して選択され、より好ましくは、各Ｒ３Ｘはエチレン部分であり、各Ｒ３に関して、各Ｒは独立して水素原子、又は１〜４個の炭素原子を含む一価の炭化水素基であり、好ましくは、各Ｒ３に関して、各Ｒは独立して、１〜４個の炭素原子を含むアルキレン部分であり、より好ましくは、水素原子、メチル部分、エチル部分、又はプロピル部分、最も好ましくは、各Ｒ３に関して、各Ｒは独立して水素原子、メチル部分、又はエチル部分である）
ｄ）各Ｒ４は独立して、Ｒ１、式（１）の加水分解性有機部分、ヒドロキシ部分、及びメトキシ部分からなる群から選択される有機部分であり、好ましくは、各Ｒ４はメチル部分であり、
ｅ）ｎは５〜１０，０００の整数であり、好ましくは、ｎは１０〜１，０００の整数であり、
ｆ）ｍは１〜２，０００の整数であり、好ましくはｍは１０〜２００の整数であり、
ｇ）ｌは１〜２０の整数であり、好ましくは、ｌは１〜１０の整数であり、より好ましくは、ｌは１〜５の整数である）
を有し、
好ましくは、前記オルガノポリシロキサンは、２５℃にて２００ｍｍ２／ｓ〜５０，０００ｍｍ２／ｓの動粘度を有し、より好ましくは、前記オルガノポリシロキサンは、２５℃にて８００ｍｍ２／ｓ〜２０，０００ｍｍ２／ｓの動粘度を有する請求項１に記載の組成物。
【請求項３】
前記消泡剤の非直鎖状オルガノシリコーン樹脂が、ＳｉＯ４／２単位及び（Ｒ５）３ＳｉＯ１／２単位を含むシロキサン樹脂であり、前記単位のＲ５のそれぞれが、１〜１０個の炭素原子を含む一価の炭化水素基、炭化水素オキシ基、又はヒドロキシル基からなる群から独立して選択され（ただし、前記Ｒ５部分の少なくとも１０モル％は一価の炭化水素基である）、好ましくは、各Ｒ５は、１〜６個の炭素原子を含むアルキル基、フェニル基、ヒドロキシル基、又はメトキシ基からなる群から独立して選択され、最も好ましくは、各Ｒ５は、メチル部分、エチル部分、フェニルプロピル部分、及びフェニル部分からなる群から独立して選択され、前記シロキサン樹脂中での、ＳｉＯ４／２単位に対する（Ｒ５）３ＳｉＯ１／２単位の比率は０．４〜２．５、好ましくは０．５〜１．４、より好ましくは０．５〜０．８である、請求項１〜２に記載の組成物。
【請求項４】
消泡剤の非直鎖状オルガノシリコーン樹脂が、樹脂の０．１〜３０重量％の、Ｒ５ＳｉＯ３／２単位を更に含む、請求項１〜３に記載の組成物。
【請求項５】
消泡剤の総重量に基づいて、
ａ）３０％〜９０％の前記オルガノポリシロキサン、好ましくは５０％〜８０％の前記オルガノポリシロキサン、
ｂ）１％〜５０％の前記非直鎖状オルガノシリコーン樹脂、好ましくは２％〜３０％の前記非直鎖状オルガノシリコーン樹脂、より好ましくは４％〜１５％の前記非直鎖状オルガノシリコーン樹脂、及び／又は
ｃ）０．５％〜５０％の前記疎水性充填剤、好ましくは１％〜１５％の前記疎水性充填剤、より好ましくは２％〜８％の前記疎水性充填剤
を含む、請求項１〜４のいずれか一項に記載の組成物。
【請求項６】
前記消泡剤が、消泡剤の総重量に基づいて、０．５％〜２０％の有機油、好ましくは、１．５％〜２０％の前記有機油、より好ましくは１％〜１５％、最も好ましくは２％〜１０％の前記有機油を更に含む、請求項１〜５のいずれか一項に記載の組成物。
【請求項７】
組成物の総重量に基づいて、５％未満の前記消泡剤、好ましくは０．０１％〜０．８％の前記消泡剤、より好ましくは０．０３〜０．２５％の前記消泡剤を含む、請求項１〜６のいずれか一項に記載の組成物。
【請求項８】
前記消泡剤が、固体形態、好ましくは粉末、凝集物及びそれらの混合物からなる群から選択される形態にある、請求項１〜７のいずれか一項に記載の組成物。
【請求項９】
前記補助成分が、界面活性剤、カラーケアポリマー、付着助剤、界面活性剤増強ポリマー、ｐＨ調整剤、製品着色安定剤、防腐剤、溶媒、ビルダー、キレート剤、移染防止剤、分散剤、酵素及び酵素安定剤、触媒材料、漂白剤、漂白活性化剤、ポリマー分散剤、粘土汚れ除去／再付着防止剤、増白剤、抑泡剤、染料、紫外線吸収剤、香料及び香料送達システム、構造弾性化剤、増粘剤／構造化剤、柔軟仕上げ剤、担体、向水性物質、オリゴアミン、加工助剤、色調剤、及び／又は顔料からなる群から選択される、請求項１〜８のいずれか一項に記載の組成物。
【請求項１０】
アニオン性界面活性剤、カチオン性界面活性剤、非イオン性界面活性剤、双極性界面活性剤、両性界面活性剤、及びこれらの混合物、好ましくはアニオン性界面活性剤からなる群から選択される界面活性剤を含み、好ましくは前記アニオン性界面活性剤が、Ｃ９〜Ｃ１８アルキルベンゼンスルホネート界面活性剤、Ｃ１０〜Ｃ２０アルキルサルフェート界面活性剤、Ｃ１０〜Ｃ１８アルキルアルコキシサルフェート界面活性剤であって、１〜３０の平均アルコキシル化度を有しかつアルコキシはＣ１〜Ｃ４鎖を含む、Ｃ１０〜Ｃ１８アルキルアルコキシサルフェート界面活性剤、及びこれらの混合物からなる群から選択される、請求項９に記載の組成物。
【請求項１１】
ａ）前記布地柔軟剤活性物質は、ポリグリセロールエステル、油性糖誘導体、ワックスエマルション、脂肪酸、Ｎ，Ｎ−ビス（ステアロイル−オキシ−エチル）Ｎ，Ｎ−ジメチルアンモニウムクロリド、Ｎ，Ｎ−ビス（タロウオイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウムメチルサルフェート、及びこれらの混合物からなる群から選択され、
ｂ）前記付着助剤ポリマーは、前記組成物のｐＨにおいて、０．００５ｍｅｑ／ｇ〜２３ｍｅｑ／ｇ、好ましくは０．０１ｍｅｑ／ｇ〜１２ｍｅｑ／ｇ、最も好ましくは０．１ｍｅｑ／ｇ〜７ｍｅｑ／ｇのカチオン電荷を有するカチオン性ポリマーを含み、
ｃ）前記香料送達システムが、香料マイクロカプセル、又は湿気活性化香料マイクロカプセルからなる群から選択され、前記マイクロカプセルが、ポリアクリレート、及び／又はアルデヒドと架橋したポリマーを含むシェルを含み、好ましくは、前記シェルが、ポリアクリレート、ポリ尿素、ポリウレタン、ポリアミン、アルデヒドと架橋した尿素、又はアルデヒドと架橋したメラミンからなる群から選択されるポリマーを含み、より好ましくは、前記ポリマーが、メラミンホルムアルデヒド、尿素ホルムアルデヒド、フェノールホルムアルデヒド、又はその他の、ホルムアルデヒド、香料担体及びカプセル化香料組成物との縮合ポリマーからなる群から選択され、前記香料担体は、シクロデキストリン、デンプンマイクロカプセル、多孔質担体マイクロカプセル、及びこれらの混合物からなる群から選択されてよく、前記カプセル化香料組成物は、低揮発性香料成分、高揮発性香料成分、及びこれらの混合物を含むことができ、
ｄ）前記酵素は、プロテアーゼ、アミラーゼ、リパーゼ、マンナナーゼ、セルラーゼ、キシログルカナーゼ、ペクチン酸リアーゼ、及びこれらの混合物からなる群から選択され、
ｅ）前記構造化剤は、水素化ヒマシ油；水素化ヒマシ油の誘導体；微小繊維状セルロース；ヒドロキシ官能性結晶性材料、長鎖脂肪酸アルコール、１２−ヒドロキシステアリン酸；粘土；及びこれらの混合物からなる群から選択され、
ｆ）前記ポリマー分散剤は、ポリカルボキシレート、汚れ放出ポリマー、カルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、双性エトキシル化四級化硫酸化ヘキサメチレンジアミン、アルコキシル化ポリアルキレンイミン、エトキシル化ポリアミン、ポリエチレングリコール−ポリビニルアセテートからなる群から選択され、
ｇ）前記色調剤が小分子染料、ポリマー染料、染料粘土コンジュゲート、及び顔料からなる群から選択され、
ｈ）前記オリゴアミンがポリエーテルアミンからなる群から選択され、及び
ｉ）これらの混合物
である、請求項９に記載の組成物。
【請求項１２】
補助成分と、請求項１〜３のいずれか一項に記載の前記オルガノポリシロキサン、非直鎖状オルガノシリコーン樹脂、及び疎水性充填剤を組み合わせて混合物を形成した後、前記混合物を５０℃〜２００℃の温度にて加熱処理することで調製した消泡剤と、を含む、洗剤及び／又は布地向上剤。
【請求項１３】
前記消泡剤の調製が、前記加熱処理工程の前に、前記オルガノポリシロキサン、前記非直鎖状オルガノシリコーン樹脂、前記疎水性充填剤、及びアルカリ物質を組み合わせて混合物を形成することを含む、請求項１２に記載の洗剤及び／又は布地向上剤。
【請求項１４】
前記消泡剤の調製が、有機油を、前記オルガノポリシロキサン、非直鎖状オルガノシリコーン樹脂、疎水性充填剤、及び任意に前記アルカリ物質と組み合わせ、混合物を形成することを更に含む、請求項１２〜１３に記載の洗剤及び／又は布地向上剤。
【請求項１５】
部位を処理及び／又は清浄する方法であって、
ａ）任意に、前記部位を洗浄、すすぎ、及び／又は乾燥させることと、
ｂ）前記部位を、請求項１〜１４のいずれか一項に記載の消泡剤組成物及び／又は消費者製品と接触させることと、
ｃ）任意に、前記部位を、洗浄、すすぎ、及び／又は、受動若しくは積極乾燥させることと、
を含む、方法。
【発明の詳細な説明】
【技術分野】
【０００１】
本出願は、消泡剤組成物、並びにこうした組成物を作製及び使用する方法、並びにこうした組成物を含む消費者製品及びその使用に関する。
【背景技術】
【０００２】
清浄及び／又は処理組成物は、泡を発生する物質を使用することができる。ある種の清浄及び／又は処理組成物では、泡の液面が望ましい程度よりも高い。泡を低減する１つの方法として、清浄及び／又は処理組成物に消泡剤を加えることがある。高粘度シリコーンを含む消泡剤組成物は非常に効果的であるが、こうした組成物は、清浄及び／又は処理組成物などの消費者製品に配合する前に、乳化されなければならない。乳化工程を回避するために、消泡剤組成物に、低粘度シリコーンが使用されてきた。残念なことに、こうした消泡剤組成物は、消泡剤として非常に効果性が高くはない。更に、このような低粘度消泡剤の有効性は、洗剤成分により、消泡剤に非効果性が付与されるという点まで損なわれる。このような洗剤成分は、溶媒、ポリマー、及び香料を含む。理論に束縛されるものではないが、このような成分と関連する問題は、このような成分が消泡剤の液滴に侵入して、消泡剤成分を分離させるために生じると、出願者らは考えている。消泡剤成分を、清浄及び処理組成物に組み込む前に共に共有結合することにより、このような分離が緩和されることができると、出願者らは認識した。理論に束縛されるものではないが、このような消泡剤成分は、Ｓｉ−Ｏ−Ｓｉ基が、ある消泡剤成分のＳｉ−ＯＨ及び／又はＳｉ−ＯＲ基が、別の消泡剤成分のＳｉ−ＯＨ及び／又はＳｉ−ＯＲ基（式中、Ｒはメチル、エチル、又はプロピル基である）と反応して形成されるように反応し、特定のＳｉ−Ｏ−Ｓｉ基が、このような反応が破壊し、より好ましい順序で再形成する前に存在することで、優れた消泡剤が得られると、出願者らは考えている。このような共有結合した消泡剤材料及びこれを含む組成物を、本明細書で開示する。
【発明の概要】
【課題を解決するための手段】
【０００３】
本出願は、消泡剤組成物、並びにこうした組成物を作製及び使用する方法、並びにこうした組成物を含む消費者製品及びその使用に関する。こうした消泡剤組成物は、粘度が低く、やはり有効な消泡剤である。
【発明を実施するための形態】
【０００４】
定義
本明細書で使用するとき、「消費者製品」は、販売される形態での使用又は消費を意図し、後続する商業的製造又は修正を意図しない、ベビーケア、ビューティケア、布地及びホームケア、ファミリーケア、フェミニンケア、ヘルスケア、スナック及び／若しくは飲料製品、又はデバイスを意味する。かかる製品としては、おむつ、胸当て、ワイプ；毛髪（ヒト、イヌ、及び／又はネコ）を処置するための製品及び／又はそれに関連する方法（脱色、着色、染色、コンディショニング、シャンプー、スタイリング用を含む）；脱臭剤及び制汗剤；パーソナルクレンジング；化粧品；消費者使用のためのクリーム、ローション、及び局所的に適用される他の製品の適用を含むスキンケア；並びにシェービング製品、布地、硬質表面、並びに布地及びホームケア分野の任意の他の表面を処理するための製品及び／又はそれに関連する方法（空気ケア、自動車ケア、食器洗浄、布地コンディショニング（柔軟化を含む）、洗濯洗剤、洗濯及びすすぎ用添加剤及び／又はケア、硬質表面清浄及び／又は処理、並びに消費者又は事業者使用のための他の清浄を含む）；トイレットペーパー、ティッシュ、紙製ハンカチ、及び／又はペーパータオルに関連する製品及び／又は方法；口腔ケアに関連する製品及び／又は方法であって、練り歯磨き、歯磨きジェル、歯すすぎ剤、入れ歯粘着剤、歯ホワイトニング剤を含むもの；店頭のヘルスケア（鎮痛剤、ペットの健康及び栄養、並びに水質浄化を含む）が挙げられるが、これらに限定されない。
【０００５】
本明細書において使用する場合、用語「清浄及び／又は処理組成物」は、特記しない限り、単位用量の、顆粒又は粉末形態の汎用又は「強力」洗浄剤、とりわけ清浄用洗剤；液体、ゲル、又はペースト形態の汎用洗浄剤、特にいわゆる強力液体タイプのもの；繊細な布地用の液体洗剤；食器手洗い用洗剤又は軽作業用食器用洗剤、特に高発泡タイプのもの；食器洗浄機用洗剤（家庭用及び業務用の、様々なタブレット、顆粒、液体、及びすすぎ補助タイプのものを含む）；液体清浄剤及び消毒剤（抗菌性手洗いタイプ、クリーニングバー、口腔洗浄剤、入れ歯洗浄剤、歯磨き剤、自動車又はカーペット用シャンプー、浴室用洗浄剤を含む）；毛髪用シャンプー及び毛髪用リンス；シャワージェル及びフォームバス、並びに金属洗浄剤；加えて、漂白添加剤、及び「染み固着」タイプ又は前処置タイプなどの清浄助剤、乾燥機用シート（dryer added sheet）、乾燥及び湿潤ワイプ及びパッド、不織布基材、並びにスポンジなどの基材添加製品（substrate-laden product）；加えて、スプレー及びミストが挙げられるが、これらに限定されない。
【０００６】
本明細書で使用するとき、「布地ケア組成物」という用語は、別途記載のない限り、布地柔軟化組成物、布地改良組成物、布地フレッシュニング組成物、及びこれらの組み合わせを含む。
【０００７】
本明細書で使用する場合、特許請求の範囲で使用される場合の冠詞「ａ」及び「ａｎ」は、特許請求又は記載されているもののうちの１つ以上を意味すると理解される。
【０００８】
本明細書で使用するとき、「含む（include）」、「含む（includes）」、及び「含んでいる（including）」という用語は、「含むが、これらに限定されない」という語句と同義であることを意味する。
【０００９】
本明細書において使用する場合、用語「固体」は、顆粒、粉末、棒状及び錠剤の製品形態を意味する。
【００１０】
本明細書で使用するとき、「部位」という用語は、紙製品、布地、衣類、硬質表面、毛髪、及び皮膚を含む。
【００１１】
本明細書において、消泡剤の有機修飾シリコーン要素及びそれを含む消費者製品を説明及び／又は列挙するために使用されるとき、２−フェニルプロピルメチル部分は、（メチル）（２−フェニルプロピル）、（２−フェニルプロピル）メチル、メチル（２−フェニルプロピル）、メチル（β−メチルフェネチル）、２−フェニルプロピルメチル、２−フェニルプロピルメチル、メチル２−フェニルプロピル及びＭｅ  ２−フェニルプロピルと同義である。よって、有機修飾シリコーンは、例として、以下のそのような命名法を使用する。
（メチル）（２−フェニルプロピル）シロキサン
（メチル）（２−フェニルプロピル）シロキサン
（２−フェニルプロピル）メチルシロキサン
（２−フェニルプロピル）メチルシロキサン
メチル（２−フェニルプロピル）シロキサン
メチル（２−フェニルプロピル）シロキサン
メチル（β−メチルフェネチル）シロキサン
メチル（β−メチルフェネチル）シロキサン
２−フェニルプロピルメチルシロキサン
２−フェニルプロピルメチルシロキサン
２−フェニルプロピルメチルシロキサン
２−フェニルプロピルメチルシロキサン
メチル２−フェニルプロピルシロキサン
メチル２−フェニルプロピルシロキサン
Ｍｅ  ２−フェニルプロピルシロキサン
Ｍｅ  ２−フェニルプロピルシロキサン
【００１２】
本明細書で使用するとき、用語ＳｉＯ「ｎ」／２は、酸素原子とケイ素原子との比を表す。例えば、ＳｉＯ１／２が、１つの酸素が２つのＳｉ原子間で共有されていることを意味する。同様に、ＳｉＯ２／２は、２つの酸素原子が２つのＳｉ原子間で共有されていることを意味し、ＳｉＯ３／２は、３つの酸素原子が２つのＳｉ原子間で共有されていることを意味し、ＳｉＯ４／２は、４つの酸素原子が２つのＳｉ原子間で共有されていることを意味する。
【００１３】
本明細書において使用する場合、ヘテロ原子という用語は、通常の、慣用的な意味をとり、すなわち、Ｎ、Ｏ、Ｓ、Ｐ、Ｃｌ、Ｂｒ及びＩを含む。
【００１４】
別途記載のない限り、全ての成分又は組成物の濃度は、当該成分又は組成物の活性部分に関するものであり、かかる成分又は組成物の市販の供給源に存在し得る不純物、例えば残留溶媒又は副生成物は除外される。
【００１５】
全ての百分率及び比率は、別途記載のない限り、重量基準で計算される。全ての百分率及び比率は、別途記載のない限り、全組成に基づいて計算される。
【００１６】
本明細書の全体をとおして与えられる全ての最大数値限定は、それよりも小さい全ての数値限定を、かかるより小さい数値限定があたかも本明細書に明確に記載されているかのように含むものと理解すべきである。本明細書の全体をとおして与えられる全ての最小数値限定は、それよりも高い全ての数値限定を、かかるより高い数値限定があたかも本明細書に明確に記載されているかのように含む。本明細書の全体をとおして与えられる全ての数値範囲は、かかるより広い数値範囲内に含まれるより狭い全ての数値範囲を、かかるより狭い数値範囲があたかも全て本明細書に明確に記載されているかのように含む。
【００１７】
消泡剤を含む洗濯洗剤及び／又は布地向上剤
Ａ．補助成分及び消泡剤を含む組成物であって、当該消泡剤が、
ａ）式（１）の少なくとも１つの加水分解性基を含むオルガノポリシロキサンであって、当該少なくとも１つの加水分解性基が、主鎖で構成される当該オルガノポリシロキサンセグメントの少なくとも１つのケイ素原子に結合しており、当該主鎖が、当該オルガノポリシロキサンの重量に基づいて少なくとも１０モル％、好ましくは、当該オルガノポリシロキサンの重量に基づいて１０モル％〜４０モル％の量で式（２）のシロキシ単位を含有する、オルガノポリシロキサンと、
【００１８】
【化１】
2021502457.tif 000002
（式中、Ｘは１〜１０個の炭素原子を含む二価の炭化水素基であり、Ｒは独立して、水素原子、又は１〜４個の炭素原子を含む一価の炭化水素基であり、
【００１９】
【化２】
2021502457.tif 000003
式中、Ｒ１は独立して、１〜１２個の炭素原子を含む一価の炭化水素基であり、Ｒ２は、アリール部分、Ｃ６〜Ｃ１２アルキルアリール部分、及びＣ６〜Ｃ１２アルキル部分から独立して選択され、前記部分は任意に、酸素原子又はハロゲン原子を含む）
ｂ）非直鎖状オルガノシリコーン樹脂と、
ｃ）疎水性充填剤と、を含み
当該組成物が洗濯洗剤及び／又は布地向上剤である組成物が、開示されている。式（２）のシロキシ単位が総量の１０モル％未満のとき、十分な消泡性を得ることができない。
【００２０】
当該オルガノポリシロキサンは任意の既知の方法で作製することができ、それぞれが末端二重結合を有する、α−メチルスチレン、ビニルトリメトキシシラン、又はビニルトリエトキシシランを、白金又はロジウム触媒の存在下にて水素ポリシロキサンに添加することにより、容易に得ることができる。反応は任意に、トルエンなどの溶媒の存在下で実施することができる。反応温度は特に限定されないが、６０℃以上かつ１５０℃以下が好ましい。反応時間は特に限定されないが、０．５〜１０時間が好ましく、１〜５時間がより好ましい。
【００２１】
当該消泡は、前述の任意の方法により作製することができ、方法は、５０℃〜２００℃、より好ましくは６０〜１８０℃の温度で加熱処理するプロセスを含有するのが好ましい。５０℃以上の加熱温度で、不十分な反応のリスクが取り除かれ、２００℃以下の加熱温度で、シロキサン結合の分解のリスクが取り除かれる。反応時間は、好ましくは０．５時間〜１０時間であり、より好ましくは１〜５時間である。加熱処理は、非直鎖状オルガノシリコーン樹脂、及びオルガノポリシロキサンを含む疎水性充填剤の表面処理と合わせて、オルガノポリシロキサンの分子間架橋を促進し、消泡性（持続性）を更に改善する。これらの消泡組成物は、剪断下にて混合することにより提供することができる。更に、剪断とは、従来の剪断刃を用いることを含むあらゆる撹拌を意味し、好ましい剪断状態は、疎水性充填剤が消泡組成物に分散する状態である。消泡組成物の調製方法は、消泡組成物を混合する任意の段階において（好ましくは加熱処理の前の段階で）、アルカリ処理工程を含有するのが好ましい。アルカリ物質の実例としては、アルカリ金属又はアルカリ土類金属を含有する塩基性化合物、好ましくは水酸化カリウム、水酸化ナトリウム、カリウムシリコネート、ナトリウムシリコネート、重炭酸ナトリウム、炭酸カリウム、及び炭酸ナトリウムが挙げられる。アルカリ処理の温度は、好ましくは５０℃〜２００℃であり、より好ましくは８０℃〜１５０℃である。反応時間は、好ましくは０．５時間〜１０時間であり、より好ましくは１〜５時間である。アルカリ処理は、非直鎖状オルガノシリコーン樹脂、及びオルガノポリシロキサンを含む疎水性充填剤の表面処理と合わせて、オルガノポリシロキサンの分子間架橋を促進し、消泡性（持続性）を更に改善する。アルカリ物質の添加量は、消泡組成物の総重量に基づいて、好ましくは０．０１質量％〜１０質量％であり、より好ましくは０．１質量％〜５質量％である。
【００２２】
Ｂ．セクションＡに記載の組成物であって、消泡剤のオルガノポリシロキサンが式（３）を有する、組成物。
【００２３】
【化３】
2021502457.tif 000004
（式中、
ａ）各Ｒ１は独立して、１〜１２個の炭素原子を含む一価の炭化水素基であり、好ましくは、Ｒ１は、アルキル部分、アリール部分、アラルキル部分、及びアルケニル部分からなる群から選択される部分を含み、より好ましくは、Ｒ１は、メチル部分、エチル部分、プロピル部分、ブチル部分、ペンチル部分、ヘキシル部分、ヘプチル部分、オクチル部分、ノニル部分、デシル部分、ウンデシル部分、ドデシル部分、及びフェニル部分からなる群から選択される部分を含み、より好ましくは、Ｒ１は、メチル部分、エチル部分、ヘキシル部分、及びオクチル部分からなる群から選択される部分を含み、最も好ましくは、Ｒ１はメチル部分、及びエチル部分を含み、
ｂ）各Ｒ２は、アリール部分、Ｃ６〜Ｃ１２アルキルアリール部分、及びＣ６〜Ｃ１２アルキル部分から独立して選択され、前記部分は任意に酸素原子又はハロゲン原子を含み、好ましくは、各Ｒ２は、フェニル部分、２−フェニルプロピル部分、オイゲノール部分、フェニルプロピル部分、プロピルフェニルエーテル部分、プロピルフェノール部分、２−クロロスチリル部分、４−クロロスチリル部分、４−メチルスチリル部分、３−メチルスチリル部分、４−ｔ−ブチルスチリル部分、２，４−ジメチルスチリル部分、２，５−ジメチルスチリル部分から独立して選択され、より好ましくは、各Ｒ２は２−フェニルプロピル部分から独立して選択され、当該２−フェニルプロピル−ジメチルスチリル部分は、α−メチルスチレンに由来することができ、
ｃ）Ｒ３は、下式（１）の加水分解性有機基であり、
【００２４】
【化４】
2021502457.tif 000005
（式中、各Ｒ３Ｘは独立して二価の炭化水素基であり、好ましくは、各Ｒ３Ｘは独立して、１〜１０個の炭素原子を含むアルキレン部分であり、より好ましくは、各Ｒ３Ｘは、メチレン部分、エチレン部分、プロピレン部分、及びブチレン部分からなる群から独立して選択され、より好ましくは、各Ｒ３Ｘはエチレン部分であり、各Ｒ３に関して、各Ｒは独立して水素原子、又は１〜４個の炭素原子を含む一価の炭化水素基であり、好ましくは、各Ｒ３に関して、各Ｒは独立して、１〜４個の炭素原子を含むアルキレン部分であり、より好ましくは、水素原子、メチル部分、エチル部分、又はプロピル部分、最も好ましくは、各Ｒ３に関して、各Ｒは独立して水素原子、メチル部分、又はエチル部分であり、
ｄ）各Ｒ４は独立して、Ｒ１、式（１）の加水分解性有機部分、ヒドロキシ部分、及びメトキシ部分からなる群から選択される有機部分であり、好ましくは、各Ｒ４はメチル部分であり、
ｅ）ｎは５〜１０，０００の整数であり、好ましくは、ｎは１０〜１，０００の整数であり、
ｆ）ｍは１〜２，０００の整数であり、好ましくはｍは１０〜２００の整数であり、
ｇ）ｌは１〜２０の整数であり、好ましくは、ｌは１〜１０の整数であり、より好ましくは、ｌは１〜５の整数であり、
好ましくは、当該オルガノポリシロキサンは、２５℃にて約２００ｍｍ２／ｓ〜約５０，０００ｍｍ２／ｓの動粘度を有し、より好ましくは、当該オルガノポリシロキサンは、２５℃にて約８００ｍｍ２／ｓ〜約２０，０００ｍｍ２／ｓの動粘度を有する）当該動粘度は、Ｃａｎｎｏｎ−Ｆｅｎｓｋｅの粘度計により測定される。
【００２５】
Ｃ．消泡剤の非直鎖状オルガノシリコーン樹脂が、ＳｉＯ４／２単位（Ｑ単位）及び（Ｒ５）３ＳｉＯ１／２単位（Ｍ単位）を含むシロキサン樹脂であり、当該単位のＲ５のそれぞれが、１〜１０個の炭素原子を含む一価の炭化水素基、炭化水素オキシ基、又はヒドロキシル基からなる群から独立して選択され（ただし、当該Ｒ５部分の少なくとも１０モル％は一価の炭化水素基である）、好ましくは、各Ｒ５は、１〜６個の炭素原子を含むアルキル基、フェニル基、ヒドロキシル基、又はメトキシ基からなる群から独立して選択され、最も好ましくは、各Ｒ５は、メチル部分、エチル部分、フェニルプロピル部分、及びフェニル部分からなる群から独立して選択され、当該シロキサン樹脂中での、ＳｉＯ４／２単位に対するＲ（５）３ＳｉＯ１／２単位の比率は約０．４〜約２．５、好ましくは約０．５〜約１．４、より好ましくは約０．５〜約０．８である、セクションＡ〜Ｂに記載の組成物。
【００２６】
オルガノシリコーン樹脂は室温で固体であることが好ましいが、液体ＭＱ樹脂を適切に使用することができる。非直鎖状オルガノシリコーン樹脂は、上で定義したＭ単位及びＱ単位から排他的になることが最も好ましいが、代わりに、Ｍ単位、三価の基（Ｒ５ＳｉＯ３／２単位；すなわちＴ単位）、及びＱ単位を含有する樹脂を用いることもまた、可能である。この場合、Ｔ単位の比率は、当該非直鎖状オルガノシリコーン樹脂の０〜３０重量％であるのが好ましい。このようなオルガノシリコーン樹脂は、例えば溶媒の存在下における、シランの加水分解により作製することができる。
【００２７】
好適な非直鎖状オルガノシリコーン樹脂の、特に好ましい作製方法は、キシレンなどの溶媒の存在下での、四価のシロキシ単位の前駆体（例えばテトラ−オルトシリケート、テトラエチルオルトシリケート、ポリエチルシリケート、又はケイ酸ナトリウム）、及び、一価のトリアルキルシロキシ単位の前駆体（例えばトリメチルクロロシラン、トリメチルエトキシシラン、ヘキサメチルジシロキサン、又はヘキサメチルジシラザン）の加水分解及び縮合である。更に、得られたＭＱ樹脂を任意に、トリメチルシリル化して残りのＳｉ−ＯＨ基を反応させることができる、又は、塩基の存在下にて加熱し、Ｓｉ−ＯＨ基の除去により引き起こされる、樹脂の自己縮合を引き起こすことができる。
【００２８】
Ｄ．消泡剤の非直鎖状オルガノシリコーン樹脂が、樹脂の約０．１〜約３０重量％の、Ｒ５ＳｉＯ３／２単位（Ｔ単位）を更に含む、セクションＡ〜Ｃに記載の組成物。
【００２９】
Ｅ．消泡剤の総重量に基づいて、
ａ）約３０％〜約９０％の当該オルガノポリシロキサン、好ましくは約５０％〜約８０％の当該オルガノポリシロキサン、
ｂ）約１％〜約５０％の当該非直鎖状オルガノシリコーン樹脂、好ましくは約２％〜約３０％の当該非直鎖状オルガノシリコーン樹脂、より好ましくは約４％〜約１５％の当該非直鎖状オルガノシリコーン樹脂、及び／又は
ｃ）約０．５％〜約５０％の当該疎水性充填剤、好ましくは約１％〜約１５％の当該疎水性充填剤、より好ましくは約２％〜約８％の当該疎水性充填剤
を含む、セクションＡ〜Ｄに記載の組成物。
【００３０】
約３０％〜約９０％のオルガノポリシロキサンにより、優れた安定性及び消泡性を与えることができる。非直鎖状オルガノシリコーン樹脂が少なすぎるとき、消泡剤の消泡効果が不十分になる一方で、非直鎖状オルガノシリコーン樹脂が多すぎるとき、消泡剤の作業性が不満足であるため、約１％〜約５０％の非直鎖状オルガノシリコーン樹脂が、優れた消泡をもたらす。当該疎水性充填剤の量が約０．５％を超えるとき、優れた消泡能力が得られ、当該疎水性充填剤の量が５０％未満のとき、マイナスの取り扱い性のリスクが最小化される。
【００３１】
Ｆ．消泡剤が、消泡剤の総重量に基づいて、約０．５％〜約２０％の有機油、好ましくは、約１．５％〜約２０％の当該有機油、より好ましくは約１％〜約１５％、最も好ましくは約２％〜約１０％の当該有機油を更に含む、セクションＡ〜Ｅに記載の組成物。
【００３２】
有機油は、消泡安定性を更に改善する。１つの有機油、又は複数の有機油の組み合わせを用いることができる。有機油は典型的には水に不溶性であり、好ましくは、１０質量％未満の芳香族基を含有する。有機油は、最高でも１０℃〜９５℃であり得る消泡組成物の動作温度において、液体でなければならない。多くの用途のために、有機油は２５℃にて液体であるのが好ましい。好ましい有機油としては、例えば、鉱油（特に水素添加鉱油又は不純油）、液体状態のポリイソブテン、イソパラフィン油、並びに植物油（例えばピーナッツ油、ココヤシ油、オリーブ油、綿実油、及び亜麻仁油）が挙げられる。これらの実例としては、ポリプロピレングリコール、ポリブチレングリコール、ポリエチレン及びポリプロピレングリコールのコポリマー及びブロックコポリマー；ジイソブチルアジパート、２−ヘキシルデシルアジパート、ジ−２−ヘプチルウンデシルアジパート、Ｎ−アルキルグリコールモノイソステアレート、イソセチルイソステアレート、トリメチロールプロパントリイソステアレート、エチレングリコールジ−２−エチルヘキサノエート、ネオペンチルグリコールジ−２−エチルヘキサノエート、セチル２−エチルヘキサノエート、トリメチロールプロパントリ−２−エチルヘキサノエート、ペンタエリトリトールテトラ−２−エチルヘキサノエート、セチルオクタノエート、オクチルドデシルガムエステル、オレイルオレエート、オクチルドデシルオレエート、デシルオレエート、ネオペンチルグリコールジカプレート、トリエチルシトレート、２−エチルヘキシルサクシネート、アミルアセテート、エチルアセテート、ブチルアセテート、イソセチルステアレート、ブチルステアレート、オクチルステアレート、ジイソプロピルセバケート、ジ−２−エチルヘキシルセバケート、セチルラクテート、ミリスチルラクテート、イソプロピルパルミテート、２−エチルヘキシルパルミテート、２−ヘキシルデシルパルミテート、２−ヘプチルウンデシルパルミテート、コレステリル１２−ヒドロキシステアラート、ジペンタエリスリトール脂肪酸エステル、イソノニルイソノナネート、トリイソヘキサノイン、イソプロピルミリステート、２−オクチルドデシルミリステート、２−ヘキシルデシルミリステート、ミリスチルミリステート、ヘキシルデシルジメチルオクタノエート、エチルラウレート、ヘキシルラウレート、２−オクチルドデシルＮ−ラウロイル−Ｌ−グルタメートエステル、ジイソステアリルマレート、デキストリンパルミテートエステル、デキストリンステアレートエステル、デキストリン２−エチルヘキサノエートパルミテートエステル、スクロースパルミテートエステル、スクロースステアレートエステル、モノベンジリデンソルビトール、ジベンジリデンソルビトールなどのエステル油；並びに、カルボン酸と、デカノールなどの一価のアルコールのエステル、例えばジオクチルフタレート、ジオクチルサクシネート、メチルカプリレート、ブチルペラルゴネート、エチルステアレート、２−エチルヘキシルステアレート、ドデシルラウレート、又はメチルメリッセート（melissate）が挙げられる。２５℃では液体ではないが、より高温では液体である有機液体の例としては、ワセリン、高級アルコール、及び高級カルボン酸（ミリスチン酸など）が挙げられる。
【００３３】
Ｇ．組成物の総重量に基づいて、５％未満の当該消泡剤、好ましくは、約０．０１％〜約０．８％の当該消泡剤、より好ましくは約０．０３〜約０．２５％の当該消泡剤を含む、セクションＡ〜Ｆに記載の組成物。
【００３４】
洗剤は前述の消泡組成物を含み、少なくとも１種の界面活性剤及び水を更に含む。洗剤作用物質は、界面活性剤及び水を含有する配合物をベースにする。界面活性剤は、布地の表面を濡らし、汚れを浮かし、汚れ粒子及び油の液滴の安定化させるのに役立つ。界面活性剤は典型的にはアニオン性界面活性剤、具体的にはアルキルベンゼンスルホネートであり、全洗剤組成物の５〜３０質量％を構成し得る、又は、７−ＥＯエトキシレートなどの非イオン性界面活性剤であり、全洗剤組成物の５〜４０質量％を構成し得る。
【００３５】
更に、洗剤は、必要に応じて以下の構成成分を含有することができる：ヒドロトロープ（例えば、ベンゼンスルホネートの、短鎖との塩、例えばキシレン、クメン、及びトルエンスルホネート）、水の硬度を低下させ、洗浄水内に埃及び汚れ粒子を分散させるビルダー（ナトリウムシトレート、タルタレート並びにモノ及びジサクシネートのナトリウム塩、ＳＴＰＰ、シリケート、カーボネート、アルミノシリケート、及びゼオライトを含む）、アルコール類（含有量は例えば、全洗剤組成物の５〜１０質量％である）、酵素及び酵素安定剤（例えばギ酸ナトリウム及びＣａＣｌ２）、清浄助剤（例えばホウ砂及び過酸化水素）、蛍光増白剤、香料、乳白剤、並びに、ｐＨを調整するための塩基（例えば、トリエタノールアミンなどのアルカノールアミン）。洗剤組成物の内容物のそれぞれは、洗剤作用物質の総質量に基づき、残りは水である。この典型的な配合物は、綿製品などの意図する洗浄使用のための、アニオン性界面活性剤がカチオン性界面活性剤で置換されている、特別な液体洗剤、及び、染料移転防止剤を含有する着色ケア配合物に変更することができる。
【００３６】
Ｈ．当該消泡剤が固体形態、好ましくは、粉末、アグロメレート、及びこれらの混合物からなる群から選択される形態である、セクションＡ〜Ｇに記載の組成物。
【００３７】
Ｉ．補助成分が、界面活性剤、カラーケアポリマー、付着助剤、界面活性剤増強ポリマー、ｐＨ調整剤、製品着色安定剤、防腐剤、溶媒、ビルダー、キレート剤、移染防止剤、分散剤、酵素及び酵素安定剤、触媒材料、漂白剤、漂白活性化剤、ポリマー分散剤、粘土汚れ除去／再付着防止剤、増白剤、抑泡剤、染料、紫外線吸収剤、香料及び香料送達システム、構造弾性化剤、増粘剤／構造化剤、柔軟仕上げ剤、担体、向水性物質、オリゴアミン、加工助剤、色調剤、及び／又は顔料からなる群から選択される、セクションＡ〜Ｈに記載の組成物。
【００３８】
Ｊ．アニオン性界面活性剤、カチオン性界面活性剤、非イオン性界面活性剤、双極性界面活性剤、両性界面活性剤、及びこれらの混合物、好ましくはアニオン性界面活性剤からなる群から選択される界面活性剤を含み、好ましくは当該アニオン性界面活性剤が、Ｃ９〜Ｃ１８アルキルベンゼンスルホネート界面活性剤、Ｃ１０〜Ｃ２０アルキルサルフェート界面活性剤、Ｃ１０〜Ｃ１８アルキルアルコキシサルフェート界面活性剤であって、１〜３０の平均アルコキシル化度を有しかつアルコキシはＣ１〜Ｃ４鎖を含む、Ｃ１０〜Ｃ１８アルキルアルコキシサルフェート界面活性剤、及びこれらの混合物からなる群から選択される、セクションＩに記載の組成物。
【００３９】
Ｋ．
ａ）当該布地柔軟剤活性物質は、ポリグリセロールエステル、油性糖誘導体、ワックスエマルジョン、脂肪酸、Ｎ，Ｎ−ビス（ステアロイル−オキシ−エチル）Ｎ，Ｎ−ジメチルアンモニウムクロリド、Ｎ，Ｎ−ビス（タロウオイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウムメチルサルフェート、及びこれらの混合物からなる群から選択され、
ｂ）当該付着助剤ポリマーが、当該組成物のｐＨにおいて、約０．００５ｍｅｑ／ｇ〜約２３ｍｅｑ／ｇ、好ましくは、約０．０１ｍｅｑ／ｇ〜約１２ｍｅｑ／ｇ、最も好ましくは約０．１ｍｅｑ／ｇ〜約７ｍｅｑ／ｇのカチオン電荷を有するカチオン性ポリマーを含み、
ｃ）当該香料送達システムが、香料マイクロカプセル、又は湿気活性化香料マイクロカプセルからなる群から選択され、当該マイクロカプセルが、ポリアクリレート、及び／又はアルデヒドと架橋したポリマーを含むシェルを含み、好ましくは、当該シェルが、ポリアクリレート、ポリ尿素、ポリウレタン、ポリアミン、アルデヒドと架橋した尿素、又はアルデヒドと架橋したメラミンからなる群から選択されるポリマーを含み、より好ましくは、当該ポリマーが、メラミンホルムアルデヒド、尿素ホルムアルデヒド、フェノールホルムアルデヒド、又はその他の、ホルムアルデヒド、香料担体及びカプセル化香料組成物との縮合ポリマーからなる群から選択され、当該香料担体は、シクロデキストリン、デンプンマイクロカプセル、多孔質担体マイクロカプセル、及びこれらの混合物からなる群から選択されてよく、当該カプセル化香料組成物は、低揮発性香料成分、高揮発性香料成分、及びこれらの混合物を含むことができ、
ｄ）当該酵素は、プロテアーゼ、アミラーゼ、リパーゼ、マンナナーゼ、セルラーゼ、キシログルカナーゼ、ペクチン酸リアーゼ、及びこれらの混合物からなる群から選択され、
ｅ）当該構造化剤は、水素化ヒマシ油；水素化ヒマシ油の誘導体；微小繊維状セルロース；ヒドロキシ官能性結晶性材料、長鎖脂肪酸アルコール、１２−ヒドロキシステアリン酸；粘土；及びこれらの混合物からなる群から選択され、
ｆ）当該ポリマー分散剤は、ポリカルボキシレート、汚れ放出ポリマー、カルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、双性エトキシル化四級化硫酸化ヘキサメチレンジアミン、アルコキシル化ポリアルキレンイミン、エトキシル化ポリアミン、ポリエチレングリコール−ポリビニルアセテートからなる群から選択され、
ｇ）当該色調剤が小分子染料、ポリマー染料、染料粘土コンジュゲート、及び顔料からなる群から選択され、
ｈ）当該オリゴアミンがポリエーテルアミンからなる群から選択され、及び
ｉ）これらの混合物である、セクションＩに記載の組成物。
【００４０】
Ｌ．補助成分、並びに、セクションＡ〜Ｃのいずれかに記載のオルガノポリシロキサン、非直鎖状オルガノシリコーン樹脂、及び疎水性充填剤を組み合わせて混合物を形成した後、当該混合物を約５０℃〜約２００℃の温度にて加熱することにより調製した消泡剤を含む、洗剤及び／又は布地向上剤。
【００４１】
Ｍ．当該消泡剤の調製が、当該加熱処理工程の前に、当該オルガノポリシロキサン、当該非直鎖状オルガノシリコーン樹脂、当該疎水性充填剤、及びアルカリ物質を組み合わせて混合物を形成することを含む、セクションＬに記載の洗剤及び／又は布地向上剤。
【００４２】
Ｎ．当該消泡剤の調製が、有機油を、当該オルガノポリシロキサン、非直鎖状オルガノシリコーン樹脂、疎水性充填剤、及び任意に当該アルカリ物質と組み合わせ、混合物を形成することを更に含む、セクションＬ及びＭ記載の洗剤及び／又は布地向上剤。
【００４３】
製造プロセス
本明細書において開示及び／又は特許請求されている消泡剤組成物は、実施例を含む、本明細書の教示にしたがって、作製することができる。一態様では、シリカが、インシチュでの疎水化を必要とする場合、消泡剤組成物の製造プロセスは、カリウムメトキシド、水酸化カリウム、ナトリウムメトキシド及び水酸化ナトリウムなどの適切な触媒の存在下、高温で、シリカ、有機修飾シリコーン、シリコーン樹脂及び／又は他の処理剤を一緒に混合する、加熱工程を含むことができる。
【００４４】
本明細書において開示及び／又は特許請求されている組成物（洗濯洗剤及び／又は布地向上剤）は、実施例を含む、本明細書の教示にしたがって、作製することができる。一態様では、このような洗濯洗剤及び／又は布地向上剤は、本明細書において開示及び／又は特許請求されている１つ以上の消泡剤組成物と補助成分とを組み合わせることにより作製することができる。
【００４５】
使用方法
部位を処置及び／又は清浄する方法であって、
ａ）任意に、当該部位を洗浄、すすぎ、及び／又は乾燥させることと、
ｂ）当該部位を、セクションＡ〜Ｎのいずれか１つに記載の組成物と接触させることと、
ｃ）任意に、当該部位を、洗浄、すすぎ、及び／又は、受動若しくは積極乾燥させることと、を含む方法
が開示される。
【００４６】
補助成分
本発明の各消費者製品の実施形態にとって必須ではないが、本明細書以下に例示される消費者製品成分の非限定的な一覧は、本出願人の組成物中での使用に好適であり、例えば、性能を補助若しくは改良するために、清浄される基材の処置のために、又は香料、着色剤、若しくは染料などの場合のように組成物の審美性を修正するために、望ましくは本発明の特定の実施形態に組み込まれてもよい。これらの消費者製品成分の正確な性質、及びそれらの組み込み濃度は、本組成物の物理的形態及びそれが使用される操作の性質に依存する。好適な消費者製品成分としては、界面活性剤、カラーケアポリマー、付着助剤、界面活性剤ブーストポリマー、ｐＨ調整剤、製品着色安定剤、防腐剤、溶媒、ビルダー、キレート剤、移染防止剤、分散剤、酵素及び酵素安定剤、触媒材料、漂白剤、漂白活性化剤、ポリマー分散剤、泥汚れ除去／再付着防止剤、増白剤、抑泡剤、染料、紫外線吸収剤、香料及び香料送達システム、構造弾性化剤、増粘剤／構造化剤、布地柔軟剤、担体、ヒドロトロープ、オリゴアミン、加工助剤、色調剤、及び／又は顔料が挙げられるが、これらに限定されない。
【００４７】
上述のように、消費者製品成分は、本発明の各消費者製品の実施形態にとって必須のものではない。したがって、本出願人らの組成物の特定の実施形態は、以下の補助材料、すなわち、界面活性剤、カラーケアポリマー、付着助剤、界面活性剤ブーストポリマー、ｐＨ調整剤、製品着色安定剤、防腐剤、溶媒、ビルダー、キレート剤、移染防止剤、分散剤、酵素及び酵素安定剤、触媒材料、漂白剤、漂白活性化剤、ポリマー分散剤、泥汚れ除去／再付着防止剤、増白剤、抑泡剤、染料、紫外線吸収剤、香料及び香料送達システム、構造弾性化剤、増粘剤／構造化剤、布地柔軟剤、担体、ヒドロトロープ、オリゴアミン、加工助剤、色調剤、及び／又は顔料のうちの１つ以上を含有しない。しかしながら、１つ以上の消費者製品成分が存在する場合、かかる１つ以上の消費者製品成分が、以下に詳述されているように存在してもよい。
【００４８】
第四級アンモニウムエステル柔軟化活性物質
本発明の組成物は、３．０％〜２５．０％の第四級アンモニウムエステル柔軟化活性物質（布地柔軟化活性物質（Fabric Softening Active）、「ＦＳＡ」）を含み得る。エステル第四級アンモニウム化合物という用語は、第四級アンモニウムエステル柔軟化活性物質と同義である。好ましい液体布地柔軟剤組成物では、第四級アンモニウムエステル柔軟化活性物質は、組成物の４．０重量％〜２０重量％、より好ましくは５．０重量％〜１５重量％、更により好ましくは７．０重量％〜１２重量％の濃度で存在する。第四級アンモニウムエステル柔軟化活性物質の濃度は、本組成物（希釈又は濃縮組成物）中の全柔軟化活性物質の所望の濃度、及び他の柔軟化活性物質の有無に依存し得る。
【００４９】
好ましくは、第四級アンモニウム布地柔軟化活性物質を形成する親脂肪酸のヨウ素価は、０〜１００、好ましくは、１０〜６０、より好ましくは、１５〜４５である。
【００５０】
好適な第四級アンモニウムエステル柔軟化活性物質としては、モノエステルクワット、ジエステルクワット、トリエステルクワット及びこれらの混合物からなる群から選択される材料が挙げられるが、これらに限定されない。好ましくは、モノエステルクワットの濃度は、全第四級アンモニウムエステル柔軟化活性物質の２．０重量％〜４０．０重量％であり、ジエステルクワットの濃度は、４０．０重量％〜９８．０重量％であり、トリエステルクワットの濃度は、０．０重量％〜２５．０重量％である。
【００５１】
当該第四級アンモニウムエステル柔軟化活性物質は、以下の式の化合物を含んでもよく、
｛Ｒ２（４−ｍ）−Ｎ＋−［Ｘ−Ｙ−Ｒ１］ｍ｝Ａ−
（式中、
ｍは、１、２、又は３であり、ただし、各ｍの値は、同一であり、
各Ｒ１は独立して、ヒドロカルビル基又は分岐鎖状ヒドロカルビル基であり、好ましくは、Ｒ１は、直鎖状であり、より好ましくは、Ｒ１は、部分不飽和直鎖状アルキル鎖であり、
各Ｒ２は、独立して、Ｃ１〜Ｃ３アルキル基又はヒドロキシアルキル基であり、好ましくは、Ｒ２は、メチル、エチル、プロピル、ヒドロキシエチル、２−ヒドロキシプロピル、１−メチル−２−ヒドロキシエチル、ポリ（Ｃ２〜３アルコキシ）、ポリエトキシ、ベンジルから選択され、
各Ｘは独立して、（ＣＨ２）ｎ、ＣＨ２−ＣＨ（ＣＨ３）−又はＣＨ−（ＣＨ３）−ＣＨ２−であり、
各ｎは独立して、１、２、３又は４であり、好ましくは、各ｎは、２であり、
各Ｙは独立して、−Ｏ−（Ｏ）Ｃ−又は−Ｃ（Ｏ）−Ｏ−であり、
Ａ−は独立して、塩化物、硫酸メチル、及び硫酸エチルからなる群から選択され、好ましくは、Ａ−は、塩化物及びメチル硫酸からなる群から選択され、
ただし、Ｙが−Ｏ−（Ｏ）Ｃ−であるときには、各Ｒ１における炭素の合計は、１３〜２１、好ましくは、１３〜１９である。
【００５２】
好適な第四級アンモニウムエステル柔軟化活性物質の例は、ＫＡＯ  ＣｈｅｍｉｃａｌｓからＴｅｔｒａｎｙｌ  ＡＴ−１及びＴｅｔｒａｎｙｌ  ＡＴ−７５９０という商品名で、ＥｖｏｎｉｋからＲｅｗｏｑｕａｔ  ＷＥ１６  ＤＰＧ、Ｒｅｗｏｑｕａｔ  ＷＥ１８、Ｒｅｗｏｑｕａｔ  ＷＥ２０、Ｒｅｗｏｑｕａｔ  ＷＥ２８、及びＲｅｗｏｑｕａｔ  ３８ＤＰＧという商品名で、ＳｔｅｐａｎからＳｔｅｐａｎｔｅｘ  ＧＡ９０、Ｓｔｅｐａｎｔｅｘ  ＶＲ９０、Ｓｔｅｐａｎｔｅｘ  ＶＫ９０、Ｓｔｅｐａｎｔｅｘ  ＶＡ９０、Ｓｔｅｐａｎｔｅｘ  ＤＣ９０、Ｓｔｅｐａｎｔｅｘ  ＶＬ９０Ａという商品名で市販されている。
【００５３】
これらのタイプの薬剤及びそれらの一般的な製造方法は、米国特許第４，１３７，１８０号に開示されている。
【００５４】
追加の布地柔軟化活性物質
本発明の組成物は、０．０１％〜１０％、好ましくは、０．１％〜１０％、より好ましくは、０．１％〜５％の追加の布地柔軟化活性物質を含み得る。好適な布地柔軟化活性物質としては、非エステル第四級アンモニウム化合物、アミン、脂肪酸エステル、ショ糖エステル、シリコーン、分散性ポリオレフィン、多糖類、脂肪酸、軟化油、ポリマーラテックス、及びこれらの組み合わせからなる群から選択される材料が挙げられるが、これらに限定されない。
【００５５】
非エステル第四級アンモニウム化合物：
好適な非エステル第四級アンモニウム化合物は、以下の式の化合物を含み、
［Ｒ（４−ｍ）−Ｎ＋−Ｒ１ｍ］Ｘ−
（式中、各Ｒは、水素、短鎖Ｃ１〜Ｃ６、一態様においてはＣ１〜Ｃ３アルキル基又はヒドロキシアルキル基、例えば、メチル、エチル、プロピル、ヒドロキシエチル、ポリ（Ｃ２〜３アルコキシ）、ポリエトキシ、ベンジル、又はこれらの混合物のいずれかを含み、各ｍは、１、２、又は３であり、ただし、各ｍの値は、同じであり、各Ｒ１における炭素の合計は、Ｃ１２〜Ｃ２２であり得、各Ｒ１は、ヒドロカルビル基又は置換ヒドロカルビル基であり、Ｘ−は、任意の柔軟剤相溶性のアニオンを含み得る。柔軟剤相溶性のアニオンは、塩化物、臭化物、硫酸メチル、硫酸エチル、硫酸塩、及び硝酸塩を含み得る。柔軟剤相溶性のアニオンは、塩化物又は硫酸メチルを含み得る。
【００５６】
非限定的な例としては、ジカノーラジメチル塩化アンモニウム、ジ（ハード）タロージメチル塩化アンモニウム、ジカノーラジメチルアンモニウム硫酸メチル、及びこれらの混合物などのジアルキレンジメチルアンモニウム塩が挙げられる。本発明で使用可能な市販のジアルキレンジメチルアンモニウム塩の例は、Ｗｉｔｃｏ  Ｃｏｒｐｏｒａｔｉｏｎから商品名Ａｄｏｇｅｎ（登録商標）４７２として入手可能なジオレイルジメチル塩化アンモニウム、及びＡｋｚｏ  ＮｏｂｅｌからＡｒｑｕａｄ  ２  ＨＴ７５として入手可能なジハードタロージメチル塩化アンモニウムである。
【００５７】
アミン：
好適なアミンとしては、アミドエステルアミン、アミドアミン、イミダゾリンアミン、アルキルアミン及びこれらの組み合わせからなる群から選択される材料が挙げられるが、これらに限定されない。好適なエステルアミンとしては、モノエステルアミン、ジエステルアミン、トリエステルアミン、及びこれらの組み合わせからなる群から選択される材料が挙げられるが、これらに限定されない。好適なアミドアミンとしては、モノアミドアミン、ジアミドアミン、及びこれらの組み合わせからなる群から選択される材料が挙げられるが、これらに限定されない。好適なアルキルアミンとしては、モノアルキルアミン、ジアルキルアミンクワット、トリアルキルアミン、及びこれらの組み合わせからなる群から選択される材料が挙げられるが、これらに限定されない。
【００５８】
脂肪酸：
本組成物は、布地柔軟化活性物質としての遊離脂肪酸などの脂肪酸を含み得る。「脂肪酸」という用語は、本明細書では、非プロトン化又はプロトン化形態の脂肪酸を含むように、最も広い意味で使用されている。当業者は、ある脂肪酸がプロトン化されているか、プロトン化されていないかが、ある程度、水性組成物のｐＨによって決まることを容易に理解するであろう。脂肪酸は、その非プロトン化形態、又は塩形態であり、カルシウム、マグネシウム、ナトリウム、カリウムなどが挙げられるがこれらに限定されない、対イオンを伴い得る。「遊離脂肪酸」という用語は、別の化学部分に結合（共有結合又は別様に結合）していない脂肪酸を意味する。
【００５９】
脂肪酸としては、１２個〜２５個、１３個〜２２個、又は更には１６個〜２０個の総炭素原子を含有し、かつ脂肪部分に１０個〜２２個、１２個〜１８個、又は更には１４個（ミッドカット）〜１８個の炭素原子を含有しているものを挙げることができる。
【００６０】
脂肪酸は、以下のものに由来し得る：（１）動物脂肪及び／又は部分水素添加動物脂肪（牛脂、ラードなど）、（２）植物油、及び／又は部分水素添加植物油（キャノーラ油、ベニバナ油、ピーナッツ油、ヒマワリ油、ゴマ種子油、ナタネ油、綿実油、トウモロコシ油、ダイズ油、トール油、米ぬか油、パーム油、パーム核油、ココナッツ油、その他の熱帯パーム油、アマニ油、キリ油、ヒマシ油など）、（３）熱、圧力、アルカリ異性化、及び触媒処理を介した加工油及び／又は増粘油（bodied oils）（アマニ油又はキリ油など）、（４）飽和脂肪酸（例えば、ステアリン酸）、不飽和脂肪酸（例えば、オレイン酸）、多不飽和脂肪酸（リノール酸）、分枝状脂肪酸（例えば、イソステアリン酸）、又は環状脂肪酸（例えば、多不飽和酸の飽和又は不飽和二置換シクロペンチル又はシクロヘキシル誘導体）を生じさせるための、上記のものの組み合わせ。
【００６１】
異なる脂肪源由来の脂肪酸の混合物を使用することができる。
【００６２】
不飽和脂肪酸のシス／トランス比が重要である場合があり、（Ｃ１８：１材料の）シス／トランス比は、少なくとも１：１、少なくとも３：１、４：１以上、又は更には９：１以上である。
【００６３】
また、酸化に対して、並びに結果として生じる色及び臭気の質の悪化に対してより安定であり得るため、イソステアリン酸などの分枝鎖状脂肪酸もまた好適である。脂肪酸は、０〜１４０、５０〜１２０、又は更には８５〜１０５のヨウ素価を有し得る。
【００６４】
多糖類：
本組成物は、布地柔軟化活性物質としてカチオン性デンプンなどの多糖類を含み得る。本組成物で使用するのに好適なカチオン性デンプンは、Ｃｅｒｅｓｔａｒから商品名Ｃ＊ＢＯＮＤ（登録商標）として、及びＮａｔｉｏｎａｌ  Ｓｔａｒｃｈ  ａｎｄ  Ｃｈｅｍｉｃａｌ  Ｃｏｍｐａｎｙから商品名ＣＡＴＯ（登録商標）２Ａとして市販されている。
【００６５】
ショ糖エステル：
本組成物は、布地柔軟化活性物質としてショ糖エステルを含み得る。ショ糖エステルは通常、ショ糖及び脂肪酸に由来し得る。ショ糖エステルは、そのヒドロキシル基のうちの１つ以上がエステル化されているショ糖部分で構成されている。
【００６６】
ショ糖は、以下の式を有する二糖である。
【００６７】
【化５】
2021502457.tif 000006
【００６８】
あるいは、ショ糖分子は、式、Ｍ（ＯＨ）８（式中、Ｍは、二糖主鎖である）によって表すことができ、この分子内には合計８個のヒドロキシル基がある。
【００６９】
したがって、ショ糖エステルは、以下の式によって表すことができ、
Ｍ（ＯＨ）８−ｘ（ＯＣ（Ｏ）Ｒ１）ｘ
式中、ｘは、エステル化されているヒドロキシル基の数であり、他方、（８−ｘ）は、未変化のままであるヒドロキシル基であり、ｘは、１〜８、あるいは２〜８、あるいは３〜８、又は４〜８から選択される整数であり、Ｒ１部分は独立して、Ｃ１〜Ｃ２２アルキル又はＣ１〜Ｃ３０アルコキシから選択され、直鎖状又は分枝鎖状であり、環式又は非環式であり、飽和又は不飽和であり、置換又は非置換である。
【００７０】
Ｒ１部分は、独立して選択され、様々な鎖長を有する、直鎖状アルキル又はアルコキシ部分を含み得る。例えば、Ｒ１は、直鎖状アルキル又はアルコキシ部分の混合物を含み得、直鎖の２０％超がＣ１８であり、あるいは直鎖の５０％超がＣ１８であり、あるいは直鎖の８０％超がＣ１８である。
【００７１】
Ｒ１部分は、飽和及び不飽和アルキル又はアルコキシ部分の混合物を含み得る。本明細書に用いるのに好適なショ糖エステルのヨウ素価（iodine value、ＩＶ）は、１〜１５０、又は２〜１００、又は５〜８５に及ぶ。Ｒ１部分を水素添加して、不飽和度を低減させてもよい。より高いＩＶ、例えば、４０〜９５が好ましい場合、オレイン酸、並びにダイズ油及びキャノーラ油に由来する脂肪酸が好適な出発材料である。
【００７２】
不飽和Ｒ１部分は、不飽和部位について「シス」型と「トランス」型との混合物を含み得る。「シス」／「トランス」比は、１：１〜５０：１、又は２：１〜４０：１、又は３：１〜３０：１、又は４：１〜２０：１の範囲であり得る。
【００７３】
分散性ポリオレフィン及びラテックス：
一般に、布地柔軟化効果をもたらす全ての分散性ポリオレフィンは、本発明において布地柔軟化活性物質として使用することができる。ポリオレフィンは、ワックス、エマルジョン、分散液又は懸濁液の形態であり得る。
【００７４】
ポリオレフィンは、ポリエチレン、ポリプロピレン、又はこれらの組み合わせから選択されてよい。カルボキシル、アルキルアミド、スルホン酸又はアミド基などの様々な官能基を含有するように、ポリオレフィンを少なくとも部分的に修飾してもよい。ポリオレフィンは、少なくとも部分的にカルボキシル修飾、あるいは言い換えれば、酸化されていてもよい。
【００７５】
布地柔軟化活性物質の非限定的な例としては、分散性ポリエチレン及びポリマーラテックスが挙げられる。これらの剤は、エマルジョン、ラテックス、分散液、及び懸濁液などの形態であり得る。一態様では、それらは、エマルジョン又はラテックスの形態である。分散性ポリエチレン及びポリマーラテックスは、以下の範囲を含むがこれらに限定されない、広範な粒径直径（χ５０）を有することができる：１ｎｍ〜１００μｍ；あるいは１０ｎｍ〜１０μｍ。したがって、分散性ポリエチレン及びポリマーラテックスの粒径は、限定するものではないが、一般にシリコーン又は他の脂肪油よりも小さい。
【００７６】
一般に、ポリマーエマルジョンの作製又はポリマーラテックスの乳化重合に好適な任意の界面活性剤は、本発明において布地柔軟剤活性物質として使用されるポリマーエマルジョン及びラテックスに対する乳化剤として使用することができる。好適な界面活性剤としては、アニオン性、カチオン性、及び非イオン性界面活性剤、並びにこれらの組み合わせが挙げられる。一態様において、このような界面活性剤は、非イオン性及び／又はアニオン性界面活性剤である。一態様では、布地柔軟化活性物質中の界面活性剤とポリマーとの比はそれぞれ、１：５である。
【００７７】
追加のシリコーン
布地柔軟化組成物は、切断可能な主鎖を含むシロキサンポリマーに加えて、シリコーンを含んでもよい。シリコーンの好適な濃度は、本組成物の約０．１重量％〜約７０重量％、あるいは約０．３重量％〜約４０重量％、あるいは約０．５重量％〜約３０重量％、あるいは約１重量％〜約２０重量％を含み得る。有用なシリコーンは、任意のシリコーン含有化合物であり得る。一実施形態では、シリコーンポリマーは、環状シリコーン、ポリジメチルシロキサン、アミノシリコーン、カチオン性シリコーン、シリコーンポリエーテル、シリコーン樹脂、シリコーンウレタン、及びこれらの混合物からなる群から選択される。シリコーンは、ポリジアルキルシリコーン、あるいはポリジメチルシリコーン（ポリジメチルシロキサン、すなわち（polydimethyl siloxane、「ＰＤＭＳ」））、又はこれらの誘導体であり得る。シリコーンは、アミノ官能性シリコーン、アミノ−ポリエーテルシリコーン、アルキルオキシル化シリコーン、カチオン性シリコーン、エトキシル化シリコーン、プロポキシル化シリコーン、エトキシル化／プロポキシル化シリコーン、第四級シリコーン、又はこれらの組み合わせから選択され得る。
【００７８】
シリコーンは、以下の式を有するランダム又はブロック状オルガノシリコーンポリマーから選択されることができる。
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
（式中、
ｊは、０〜約９８の整数であり、一態様において、ｊは、０〜約４８の整数であり、一態様において、ｊは、０であり、
ｋは、０〜約２００の整数であり、一態様において、ｋは、０〜約５０の整数であり、ｋ＝０であるとき、Ｒ１、Ｒ２、又はＲ３のうちの少なくとも１つは、−Ｘ−Ｚであり、
ｍは、４〜約５，０００の整数であり、一態様において、ｍは、約１０〜約４，０００の整数であり、別の態様において、ｍは、約５０〜約２，０００の整数であり、
Ｒ１、Ｒ２、及びＲ３は、各々独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ−Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、
当該アルキルシロキサンポリマーにおける各Ｘは、２〜１２個の炭素原子を含む置換又は非置換二価アルキレンラジカルを含み、一態様において、各二価アルキレンラジカルは、独立して、−（ＣＨ２）ｓ−（ｓは、約２〜約８、約２〜約４の整数である）からなる群から選択され、一態様において、当該アルキルシロキサンポリマーにおける各Ｘは、−ＣＨ２−ＣＨ（ＯＨ）−ＣＨ２−、−ＣＨ２−ＣＨ２−ＣＨ（ＯＨ）−、及び
【００７９】
【化６】
2021502457.tif 000007
からなる群から選択される置換二価アルキレンラジカルを含み、
各Ｚは、独立して、
【００８０】
【化７】
2021502457.tif 000008
からなる群から選択されるが、ただし、Ｚが第四級アンモニウム化合物であるとき、Ｑは、アミド、イミン、又は尿素部分ではあり得ず、Ｑが、アミド、イミン、又は尿素部分であるとき、当該アミド、イミン、又は尿素部分と同じ窒素に結合している任意の追加のＱは、Ｈ又はＣ１〜Ｃ６アルキルでなければならず、一態様においてこの追加のＱは、Ｈであり、Ｚについては、Ａｎ−は、好適な電荷平衡アニオンである。一態様において、Ａｎ−は、Ｃｌ−、Ｂｒ−、Ｉ−、メチルスルフェート、スルホン酸トルエン、カルボン酸、及びリン酸からなる群から選択され、当該オルガノシリコーンにおける少なくとも１つのＱは、独立して、
【００８１】
【化８】
2021502457.tif 000009
から選択され、
当該オルガノシリコーンにおける各追加のＱは、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、
【００８２】
【化９】
2021502457.tif 000010
から選択され、
式中、各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ及びシロキシ残基からなる群から選択され、
各Ｒ６は、独立して、Ｈ、Ｃ１〜Ｃ１８アルキルから選択され、
各Ｌは、独立して、−Ｃ（Ｏ）−Ｒ７又は
Ｒ７から選択され、
ｗは、０〜約５００の整数であり、一態様において、ｗは、１〜約２００の整数であり、一態様において、ｗは、約１〜約５０の整数であり、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシル残基からなる群から選択され、
各Ｔは、独立して、Ｈ、及び
【００８３】
【化１０】
2021502457.tif 000011
から選択され、
式中、当該オルガノシリコーンにおける各ｖは、１〜約１０の整数であり、一態様において、ｖは、１〜約５の整数であり、当該オルガノシリコーンにおける各Ｑの全ての添え字ｖの合計は、１〜約３０、又は１〜約２０、又は更には１〜約１０の整数である）。
【００８４】
シリコーンは、以下の式を有するランダム又はブロック状オルガノシリコーンポリマーから選択されることができる。
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式中、
ｊは、０〜約９８の整数であり、一態様において、ｊは、０〜約４８の整数であり、一態様において、ｊは、０であり、
ｋは、０〜約２００の整数であり、ｋ＝０であるとき、Ｒ１、Ｒ２又はＲ３のうちの少なくとも１つは、−Ｘ−Ｚであり、一態様において、ｋは、０〜約５０の整数であり、
ｍは、４〜約５，０００の整数であり、一態様において、ｍは、約１０〜約４，０００の整数であり、別の態様において、ｍは、約５０〜約２，０００の整数であり、
Ｒ１、Ｒ２、及びＲ３は、各々独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ−Ｚからなる群から選択され、
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され、
各Ｘは、２〜１２個の炭素原子を含む置換又は非置換二価アルキレンラジカルを含み、一態様において、各Ｘは、独立して、−（ＣＨ２）ｓ−Ｏ−、−ＣＨ２−ＣＨ（ＯＨ）−ＣＨ２−Ｏ−、
【００８５】
【化１１】
2021502457.tif 000012
からなる群から選択され、
式中、各ｓは、独立して、約２〜約８の整数であり、一態様において、ｓは、約２〜約４の整数であり、
当該オルガノシロキサンにおける少なくとも１つのＺは、Ｒ５、
【００８６】
【化１２】
2021502457.tif 000013
からなる群から選択されるが、ただし、Ｘが
【００８７】
【化１３】
2021502457.tif 000014
であるとき、Ｚ＝−ＯＲ５又は
【００８８】
【化１４】
2021502457.tif 000015
であり、
Ａ−は、好適な電荷平衡アニオンである。一態様において、Ａ−は、Ｃｌ−、Ｂｒ−、
Ｉ−、硫酸メチル、スルホン酸トルエン、炭酸、及びリン酸からなる群から選択され、
当該オルガノシリコーンにおける各追加のＺは、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｒ５、
【００８９】
【化１５】
2021502457.tif 000016
を含む群から選択されるが、ただし、Ｘが
【００９０】
【化１６】
2021502457.tif 000017
であるとき、Ｚ＝−ＯＲ５又は
【００９１】
【化１７】
2021502457.tif 000018
であり、
各Ｒ５は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、又はＣ６〜Ｃ３２アルキルアリール、又はＣ６〜Ｃ３２置換アルキルアリール、
−（ＣＨＲ６−ＣＨＲ６−Ｏ−）ｗ−ＣＨＲ６−ＣＨＲ６−Ｌ、及びシロキシル残基からなる群から選択され、式中、各Ｌは、独立して、−Ｃ（Ｏ）−Ｒ７又は−Ｏ−Ｒ７、
【００９２】
【化１８】
2021502457.tif 000019
から選択され、
ｗは、０〜約５００の整数であり、一態様において、ｗは、０〜約２００の整数であり、一態様において、ｗは、０〜約５０の整数であり、
各Ｒ６は、独立して、Ｈ又はＣ１〜Ｃ１８アルキルから選択され、
各Ｒ７は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アルキルアリール、及びシロキシル残基からなる群から選択され、
各Ｔは、独立して、Ｈ、
【００９３】
【化１９】
2021502457.tif 000020
から選択され、
当該オルガノシリコーンにおける各ｖは、１〜約１０の整数であり、一態様において、ｖは、１〜約５の整数であり、当該オルガノシリコーンにおける各Ｚの全ての添え字ｖの合計は、１〜約３０、又は１〜約２０、又は更には１〜約１０の整数である）。
【００９４】
シリコーンは、比較的高い分子量を含んでもよい。シリコーンの分子量を記載するための好適な方法としては、その粘度を記載することが挙げられる。高分子量シリコーンは、約１０ｃＳｔ〜約３，０００，０００ｃＳｔ、又は約１００ｃＳｔ〜約１，０００，０００ｃＳｔ、又は約１，０００ｃＳｔ〜約６００，０００ｃＳｔ、又は更には約６，０００ｃＳｔ〜約３００，０００ｃＳｔの粘度を有するものである。
【００９５】
シリコーンは、次式を有するブロック状カチオン性オルガノポリシロキサンを含むことができる。
ＭｗＤｘＴｙＱｚ
（式中、
Ｍ＝［ＳｉＲ１Ｒ２Ｒ３Ｏ１／２］、［ＳｉＲ１Ｒ２Ｇ１Ｏ１／２］、［ＳｉＲ１Ｇ１Ｇ２Ｏ１／２］、［ＳｉＧ１Ｇ２Ｇ３Ｏ１／２］、又はこれらの組み合わせであり、
Ｄ＝［ＳｉＲ１Ｒ２Ｏ２／２］、［ＳｉＲ１Ｇ１Ｏ２／２］、［ＳｉＧ１Ｇ２Ｏ２／２］、又はこれらの組み合わせであり、
Ｔ＝［ＳｉＲ１Ｏ３／２］、［ＳｉＧ１Ｏ３／２］、又はこれらの組み合わせであり、
Ｑ＝［ＳｉＯ４／２］であり、
ｗ＝１〜（２＋ｙ＋２ｚ）の整数であり、
ｘ＝５〜１５，０００の整数であり、
ｙ＝０〜９８の整数であり、
ｚ＝０〜９８の整数であり、
Ｒ１、Ｒ２及びＲ３は、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、Ｃ１〜Ｃ３２アルキルアミノ、並びにＣ１〜Ｃ３２置換アルキルアミノからなる群から各々独立して選択され、
Ｍ、Ｄ、又はＴの少なくとも１つは、少なくとも１つのＧ１、Ｇ２、又はＧ３部分を組み込んでおり、並びにＧ１、Ｇ２、又はＧ３は、各々独立して、次式から各々独立して選択され、
【００９６】
【化２０】
2021502457.tif 000021
（式中、
Ｘは、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド、及び開環グリシジルからなる群から選択される二価ラジカルを含むが、ただし、Ｘが、繰り返しアルキレンオキシド部分を含まない場合には、Ｘは、Ｐ、Ｎ、及びＯからなる群から選択されるヘテロ原子を更に含むことができることを条件とし、
各Ｒ４は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アルキルアリールからなる群から独立して選択される、同一の又は異なる一価ラジカルを含み、
Ｅは、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド、及び開環グリシジルからなる群から選択される二価ラジカルを含むが、ただし、Ｅが、繰り返しアルキレンオキシド部分を含まない場合には、Ｅは、Ｐ、Ｎ及びＯからなる群から選択されるヘテロ原子を更に含むことができることを条件とし、
Ｅ’は、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド、及び開環グリシジルからなる群から選択される二価ラジカルを含むが、ただし、Ｅ’が、繰り返しアルキレンオキシド部分を含まない場合には、Ｅ’は、Ｐ、Ｎ及びＯからなる群から選択されるヘテロ原子を更に含むことができることを条件とし、
ｐは、１〜５０から独立して選択される整数であり、
ｎは、１又は２から独立して選択される整数であり、
Ｇ１、Ｇ２、又はＧ３のうちの少なくとも１つが、正電荷を有するとき、Ａ−ｔは、好適な電荷平衡アニオン（単数又は複数）であり、したがって、電荷平衡アニオン（単数又は複数）の全電荷であるｋは、Ｇ１、Ｇ２、又はＧ３部分の正味電荷と大きさが等しく、かつ符号が反対であり、ｔは、１、２、又は３から独立して選択される整数であり、ｋ≦（ｐ＊２／ｔ）＋１であり、したがって、カチオン電荷の総数は、オルガノポリシロキサン分子中のアニオン電荷の総数と釣り合い、
少なくとも１つのＥは、エチレン部分を含まない。）
【００９７】
追加の界面活性剤
いくつかの例では、追加の界面活性剤は、１種以上のアニオン性界面活性剤を含む。いくつかの例では、追加の界面活性剤は、１種以上のアニオン性界面活性剤から本質的になってもよく、又は更には１種以上のアニオン性界面活性剤からなってもよい。
【００９８】
好適なアニオン性界面活性剤の具体的で非限定的な例としては、任意の従来のアニオン性界面活性剤が挙げられる。これは、例えばアルコキシル化及び／又は非アルコキシル化アルキルサルフェート材料用のサルフェート洗浄性界面活性剤、及び／又はスルホン酸系洗浄性界面活性剤、例えばアルキルベンゼンスルホネートを含んでもよい。
【００９９】
アルコキシル化アルキルサルフェート材料は、アルキルエーテルサルフェート又はアルキルポリエトキシレートサルフェートとしても既知のエトキシル化アルキルサルフェート界面活性剤を含む。エトキシル化アルキル硫酸塩の例としては、水溶性塩、特に約８個〜約３０個の炭素原子を含有するアルキル基並びにスルホン酸及びその塩を分子構造の中に有する有機硫黄化合物のアルカリ金属塩、アンモニウム塩、及びアルキロールアンモニウム塩が挙げられる。（「アルキル」という用語には、アシル基のアルキル部分が含まれる。いくつかの例では、アルキル基は、約１５個の炭素原子〜約３０個の炭素原子を含有する。別の例では、アルキルエーテル硫酸塩界面活性剤は、約１２個〜３０個の炭素原子の範囲内の平均（算術平均）炭素鎖長、及びいくつかの例では約１２個〜１５個の炭素原子の平均炭素鎖長、並びに約１ｍｏｌ〜４ｍｏｌのエチレンオキシドの平均（算術平均）エトキシル化度、及びいくつかの例では約１．８ｍｏｌから約４ｍｏｌのエチレンオキシドの平均（算術平均）エトキシル化度を有する、アルキルエーテル硫酸塩の混合物であってもよい。更なる例では、アルキルエーテルサルフェート界面活性剤は、約１０個の炭素原子〜約１８個の炭素原子の炭素鎖長、及び約１〜約６モルのエチレンオキシドのエトキシル化度を有していてよい。更なる例では、本アルキルエーテル硫酸塩界面活性剤は、ピークのあるエトキシル化分布を含んでもよい。
【０１００】
非エトキシル化アルキル硫酸塩はまた、開示される清浄組成物に添加して、アニオン性界面活性剤の構成成分として使用してもよい。非アルコキシル化、例えば、非エトキシル化アルキルサルフェート界面活性剤の例としては、高級Ｃ８〜Ｃ２０脂肪族アルコールのサルフェート化によって生成されるものが挙げられる。いくつかの例では、一級アルキルサルフェート界面活性剤は、一般式：ＲＯＳＯ３−Ｍ＋（式中、Ｒは、典型的には、直鎖Ｃ８〜Ｃ２０ヒドロカルビル基であり、この基は、直鎖状であっても分枝鎖状であってもよく、Ｍは、水溶性カチオンである）を有する。いくつかの実施例では、ＲはＣ１０〜Ｃ１５アルキルであり、Ｍはアルカリ金属である。他の例では、Ｒは、Ｃ１２〜Ｃ１４アルキルであり、Ｍは、ナトリウムである。
【０１０１】
他の有用なアニオン性界面活性剤は、アルキル基が約９個〜約１５個の炭素原子を直鎖状（直鎖）又は分枝鎖状の構造で含有する、アルキルベンゼンスルホネートのアルカリ金属塩を含み得る。いくつかの例では、アルキル基は、直鎖である。かかる直鎖アルキルベンゼンスルホネートは、「ＬＡＳ」として既知である。他の例では、直鎖アルキルベンゼンスルホネートは、アルキル基中に約１１個〜１４個の平均炭素原子数を有していてよい。具体的な例では、直鎖の直鎖状アルキルベンゼンスルホネートは、アルキル基中に約１１．８個の炭素原子の平均炭素原子数を有していてよく、これはＣ１１．８ＬＡＳと略される場合もある。
【０１０２】
好適なアルキルベンゼンスルホネート（ＬＡＳ）は、市販の直鎖アルキルベンゼン（ＬＡＢ）をスルホン化することによって得ることができる。好適なＬＡＢとしては、商標名Ｉｓｏｃｈｅｍ（登録商標）としてＳａｓｏｌによって供給されているもの又は商標名Ｐｅｔｒｅｌａｂ（登録商標）としてＰｅｔｒｅｓａによって供給されているものなどの低２−フェニルＬＡＢが挙げられ、他の好適なＬＡＢとしては、商標名Ｈｙｂｌｅｎｅ（登録商標）としてＳａｓｏｌによって供給されているものなどの高２−フェニルＬＡＢが挙げられる。好適なアニオン性洗浄性界面活性剤は、ＤＥＴＡＬ触媒プロセスによって得られるアルキルベンゼンスルホネートであるが、ＨＦなどの他の合成経路が好適な場合もある。ＬＡＳのマグネシウム塩を用いることも可能である。
【０１０３】
洗浄性界面活性剤は、中鎖分枝状洗浄性界面活性剤、好ましくは、中鎖分枝状アニオン性洗浄性界面活性剤、より好ましくは、中鎖分枝状アルキル硫酸塩及び／又は中鎖分枝状アルキルベンゼンスルホン酸塩、例えば、中鎖分枝状アルキル硫酸塩であってもよい。中鎖分枝は、典型的には、メチル基及び／又はエチル基などのＣ１〜４アルキル基であり得る。
【０１０４】
本明細書で有用な他のアニオン性界面活性剤は、約８〜約２４個（いくつかの例では、約１２〜１８個）の炭素原子を含有するパラフィンスルホン酸塩及び二級アルカンスルホン酸塩の水溶性塩；アルキルグリセリルエーテルスルホン酸塩、特にＣ８〜１８アルコール（例えば、獣脂及びココナッツ油由来のもの）のエーテルである。アルキルベンゼンスルホン酸塩と、上述のパラフィンスルホン酸塩、二級アルカンスルホン酸塩及びアルキルグリセリルエーテルスルホン酸塩との混合物も有用である。更なる好適なアニオン性界面活性剤としては、メチルエステルスルホン酸塩及びアルキルエーテルカルボン酸塩が挙げられる。
【０１０５】
非イオン性界面活性剤
追加の界面活性剤は、１つ以上の非イオン性界面活性剤を含み得る。洗剤組成物は、組成物の約０．１重量％〜約４０重量％の、１種以上の非イオン性界面活性剤から選択される追加の界面活性剤を含み得る。洗剤組成物は、組成物の約０．１重量％〜約１５重量％の、１種以上の非イオン性界面活性剤から選択される追加の界面活性剤を含み得る。洗剤組成物は、組成物の約０．３重量％〜約１０重量％の、１種以上の非イオン性界面活性剤から選択される追加の界面活性剤を含み得る。
【０１０６】
本明細書で有用な好適な非イオン性界面活性剤は、任意の従来の非イオン性界面活性剤を含むことができる。これらには、例えば、アルコキシル化脂肪族アルコール、及びアミンオキシド界面活性剤が含まれ得る。いくつかの例では、本清浄組成物は、エトキシル化非イオン性界面活性剤を含有してもよい。非イオン性界面活性剤は、式、Ｒ（ＯＣ２Ｈ４）ｎＯＨ（式中、Ｒは、約８〜約１７個の炭素原子を含有する脂肪族炭化水素ラジカル、及びアルキル基は約８〜約１２個の炭素原子を含有するアルキルフェニルラジカルからなる群から選択され、ｎの平均値は、約５〜約１５である）のエトキシル化アルコール及びエトキシル化アルキルフェノールから選択され得る。非イオン性界面活性剤は、アルコール中に平均約２４個の炭素原子及びアルコール１モル当たりエチレンオキシド約９モルの平均エトキシル化度を有するエトキシル化アルコールから選択され得る。
【０１０７】
本明細書で有用な非イオン性界面活性剤のその他の非限定例としては、Ｃ８〜Ｃ１８アルキルエトキシレート（ＳｈｅｌｌからのＮＥＯＤＯＬ（登録商標）非イオン性界面活性剤など）、アルコキシレート単位がエチレンオキシ単位、プロピレンオキシ単位、又はこれらの混合物であり得る、Ｃ６〜Ｃ１２アルキルフェノールアルコキシレート、Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）、Ｃ１４〜Ｃ２２中鎖分枝状アルコール、アルキルポリ多糖、ポリヒドロキシ脂肪酸アミド及びエーテルでキャップされたポリ（オキシアルキル化）アルコール界面活性剤が挙げられる。
【０１０８】
好適な非イオン性洗浄性界面活性剤はまた、アルキルポリグルコシド及びアルキルアルコキシル化アルコールを含む。好適な非イオン性界面活性剤はまた、商品名Ｌｕｔｅｎｓｏｌ（登録商標）としてＢＡＳＦから販売されているものを含む。
【０１０９】
非イオン性界面活性剤は、Ｃ８〜１８アルキルアルコキシル化アルコール、例えばＣ８〜１８アルキルエトキシル化アルコールなどのアルキルアルコキシル化アルコールから選択され得る。アルキルアルコキシル化アルコールは、約１〜約５０、又は約１〜約３０、又は約１〜約２０、又は約１〜約１０の平均アルコキシル化度を有してよい。特定の態様では、アルキルアルコキシル化アルコールは、約１〜約１０、又は約１〜約７、又は約１〜約５、又は約３〜約７の平均エトキシル化度を有するＣ８〜１８アルキルエトキシル化アルコールである。アルキルアルコキシル化アルコールは、直鎖状又は分枝鎖状、置換又は非置換であり得る。
【０１１０】
酵素
本明細書に記載される組成物は、洗浄性能及び／又は布地ケア効果をもたらす１つ以上の酵素を含んでもよい。好適な酵素の例としては、ヘミセルラーゼ、ペルオキシダーゼ、プロテアーゼ、セルラーゼ、キシラナーゼ、リパーゼ、キシログルカナーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、例えば、プロテアーゼ及びリパーゼをアミラーゼと共に含んでよい酵素カクテルである。前述の追加の酵素は、洗剤組成物中に存在する場合、洗剤組成物の約０．００００１重量％〜約２重量％、約０．０００１重量％〜約１重量％、又は更には約０．００１重量％〜約０．５重量％の酵素タンパク質濃度で存在し得る。
【０１１１】
好ましい酵素は、プロテアーゼを含んでもよい。好適なプロテアーゼとしては、メタロプロテアーゼ及びセリンプロテアーゼが挙げられ、例えば、サブチリシン（ＥＣ  ３．４．２１．６２）などの中性又はアルカリ性微生物セリンプロテアーゼを含む。好適なプロテアーゼとしては、動物、植物又は微生物起源のものが挙げられる。好適なプロテアーゼは、微生物由来のものであり得る。好適なプロテアーゼとしては、前述の好適なプロテアーゼの化学的又は遺伝的に就職された突然変異体が挙げられる。好適なプロテアーゼは、例えば、アルカリ性微生物プロテアーゼ又は／及びトリプシン型プロテアーゼなどの、セリンプロテアーゼであり得る。
【０１１２】
好適な市販のプロテアーゼとしては、Ｎｏｖｏｚｙｍｅｓ  Ａ／Ｓ（Ｄｅｎｍａｒｋ）により商品名Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）で販売されているもの、Ｇｅｎｅｎｃｏｒ  Ｉｎｔｅｒｎａｔｉｏｎａｌにより商品名Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）で販売されているもの、Ｓｏｌｖａｙ  Ｅｎｚｙｍｅｓにより商品名Ｏｐｔｉｃｌｅａｎ（登録商標）及びＯｐｔｉｍａｓｅ（登録商標）販売されているもの、Ｈｅｎｋｅｌ／Ｋｅｍｉｒａから入手可能なもの、すなわち、全てＨｅｎｋｅｌ／Ｋｅｍｉｒａ製の、ＢＬＡＰ、ＢＬＡＰ  Ｘ、及びＢＬＡＰ  Ｆ４９、並びに花王製のＫＡＰが挙げられる。
【０１１３】
好適なα−アミラーゼとしては、細菌又は真菌起源のものが挙げられる。化学的又は遺伝的に改変された突然変異体（変異体）が含まれる。好ましいアルカリ性アルファ−アミラーゼは、バチルス（Bacillus）の菌種、例えば、バチルス・リケニフォルミス（Bacillus licheniformis）、バチルス・アミロリケファシエンス（Bacillus amyloliquefaciens）、バチルス・ステアロサーモフィルス（Bacillus stearothermophilus）、バチルス・サブチルス（Bacillus subtilis）、又は他のバチルス（Bacillus）属に由来する。
【０１１４】
好適な市販のアルファ−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）、及びＢＡＮ（登録商標）（Ｎｏｖｏｚｙｍｅｓ  Ａ／Ｓ（Ｂａｇｓｖａｅｒｄ，Ｄｅｎｍａｒｋ））、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ（Ｗｅｈｌｉｓｔｒａｓｓｅ  ２７ｂ  Ａ−１２００  Ｗｉｅｎ  Ａｕｓｔｒｉａ）、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）、及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．，（Ｐａｌｏ  Ａｌｔｏ，Ｃａｌｉｆｏｒｎｉａ）、並びにＫＡＭ（登録商標）（花王（１０３−８２１０、東京都中央区日本橋茅場町１丁目１４−１０））が挙げられる。一態様では、好適なアミラーゼとしては、ＮＡＴＡＬＡＳＥ（登録商標）、ＳＴＡＩＮＺＹＭＥ（登録商標）、及びＳＴＡＩＮＺＹＭＥ  ＰＬＵＳ（登録商標）、並びにこれらの混合物が挙げられる。
【０１１５】
一態様では、かかる酵素は、「第１のサイクルのリパーゼ」を含む、リパーゼからなる群から選択され得る。好ましいリパーゼとしては、商品名Ｌｉｐｅｘ（登録商標）及びＬｉｐｏｌｅｘ（登録商標）で販売されているものが挙げられる。
【０１１６】
一態様では、他の好ましい酵素としては、微生物由来のエンドグルカナーゼが挙げられる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ）として販売されている。
【０１１７】
他の好ましい酵素としては、商品名Ｐｅｃｔａｗａｓｈ（登録商標）、Ｐｅｃｔａｗａｙ（登録商標）、Ｘｐｅｃｔ（登録商標）として販売されているペクチン酸リアーゼ、並びに商品名Ｍａｎｎａｗａｙ（登録商標）（全てＮｏｖｏｚｙｍｅｓ  Ａ／Ｓ（Ｂａｇｓｖａｅｒｄ，Ｄｅｎｍａｒｋ）製）及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））として販売されているマンナナーゼが挙げられる。
【０１１８】
酵素安定化系
本明細書に記載されている酵素含有組成物は、任意に、組成物の約０．００１重量％〜約１０重量％、いくつかの例では、約０．００５重量％〜約８重量％、及び別の例では、約０．０１重量％〜約６重量％の酵素安定化系を含んでもよい。酵素安定化系は、洗浄性酵素と適合性のある任意の安定化系であってよい。このような系は、他の配合物活性物質によって本質的に提供されてもよく、又は洗剤に使用可能な酵素の配合者若しくは製造業者によって別個に添加されてもよい。このような安定化系は、例えば、カルシウムイオン、ホウ酸、プロピレングリコール、短鎖カルボン酸、ボロン酸、塩素漂白剤捕捉剤、及びこれらの混合物を含むことができ、清浄組成物のタイプ及び物理的形態に応じて異なる安定化問題に対処するように設計されている。
【０１１９】
ビルダー
本発明の清浄組成物は、任意に、ビルダーを含んでもよい。ビルダー入り清浄組成物は、典型的には、組成物の総重量に基づいて、少なくとも約１重量％のビルダーを含む。液体清浄組成物は、組成物の総重量の最大約１０％、及びいくつかの例では、最大８％のビルダーを含んでもよい。顆粒清浄組成物は、組成物の最大約３０重量％、及びいくつかの例では、最大５重量％のビルダーを含んでもよい。
【０１２０】
アルミノケイ酸塩（例えば、ゼオライトＡ、ゼオライトＰ、及びゼオライトＭＡＰなどのゼオライトビルダー）及びケイ酸塩から選択されるビルダーは、洗浄水の鉱物質硬度、特にカルシウム及び／若しくはマグネシウムの制御、又は表面からの微粒子汚れの除去を補助する。好適なビルダーは、ポリリン酸塩（例えばナトリウムトリ−ポリリン酸塩）、特にそのナトリウム塩などのリン酸塩；炭酸塩、重炭酸塩、セスキ炭酸塩、及び炭酸ナトリウム又はセスキ炭酸塩以外の炭酸塩鉱物；有機モノ−、ジ−、トリ−、及びテトラカルボキシレート、特に、酸、ナトリウム、カリウム、又はアルカノールアンモニウム塩形態の水溶性非界面活性剤カルボキシレート、並びに脂肪族及び芳香族の種類を含むオリゴマー又は水溶性低分子量ポリマーカルボキシレート、並びにフィチン酸からなる群から選択され得る。追加の好適なビルダーは、クエン酸、乳酸、脂肪酸、ポリカルボキシレートビルダー、例えば、アクリル酸のコポリマー、アクリル酸及びマレイン酸のコポリマー、並びにアクリル酸及び／又はマレイン酸のコポリマー、並びに様々な種類の追加の官能基を有する他の好適なエチレン系モノマーから選択され得る。また、本明細書のビルダーとしての使用に好適なものは、鎖構造を有し、以下の一般的な無水物形態ｘ（Ｍ２Ｏ）・ｙＳｉＯ２・ｚＭ’Ｏによって表される組成を有する、合成された結晶性イオン交換材料又はその水和物であり、式中、Ｍは、Ｎａ及び／又はＫであり、Ｍ’は、Ｃａ及び／又はＭｇであり、ｙ／ｘは、０．５〜２．０であり、ｚ／ｘは、０．００５〜１．０である。
【０１２１】
あるいは、組成物はビルダーを実質的に含まなくてもよい。
【０１２２】
構造化剤／増粘剤
ｉ．細菌セルロース
流体洗剤組成物はまた、約０．００５重量％〜約１重量％の細菌セルロース網状構造物を含むことができる。「細菌セルロース」という用語は、ＣＰＫｅｌｃｏ  Ｕ．Ｓ．によるＣＥＬＬＵＬＯＮ（登録商標）などのアセトバクター（Acetobacter）属の細菌の発酵によって生成された任意のタイプのセルロースを包含し、かつミクロフィブリル化セルロース、網状細菌セルロースなどと一般に称される物質を含む。一態様において、当該繊維は、１．６ｎｍ〜３．２ｎｍ×５．８ｎｍ〜１３３ｎｍの断面寸法を有する。更に、細菌セルロース繊維は、少なくとも約１００ｎｍ、又は約１００〜約１，５００ｎｍの平均ミクロ繊維長を有する。一態様では、細菌セルロースミクロ繊維は、約１００：１〜約４００：１、又は更には約２００：１〜約３００：１のアスペクト比を有し、このアスペクト比は、平均ミクロ繊維の長さをミクロ繊維の最大断面幅で除算したものを意味する。
【０１２３】
ｉｉ．コーティングされた細菌セルロース
バクテリアセルロースは、ポリマー増粘剤で少なくとも部分的にコーティングされてもよい。少なくとも部分的にコーティングされているバクテリアセルロースは、約０．１重量％〜約５重量％、又は更には約０．５重量％〜約３重量％のバクテリアセルロース、及び約１０重量％〜約９０重量％のポリマー増粘剤を含んでもよい。好適なバクテリアセルロースとしては、上述のバクテリアセルロースを挙げることができ、好適なポリマー増粘剤としては、カルボキシメチルセルロース、カチオン性ヒドロキシメチルセルロース、及びこれらの混合物が挙げられる。
【０１２４】
ｉｉｉ．非細菌セルロース由来のセルロース繊維
本組成物は、組成物の約０．０１〜約５重量％のセルロース繊維を更に含んでもよい。当該セルロース繊維は、野菜、果物、又は木材から抽出することができる。市販の例は、ＦＭＣ製のＡｖｉｃｅｌ（登録商標）、Ｆｉｂｅｒｓｔａｒ製のＣｉｔｒｉ−Ｆｉ、又はＣｏｓｕｎ製のＢｅｔａｆｉｂである。
【０１２５】
ｉｖ．非高分子結晶質ヒドロキシル官能性材料
本組成物は、組成物の約０．０１〜約１重量％の非ポリマー結晶性ヒドロキシル官能性構造化剤を更に含んでもよい。当該非ポリマー結晶性ヒドロキシル官能性構造化剤は一般に、最終流体洗剤組成物への分散を補助するために、事前乳化が可能な結晶性グリセリドを含むことができる。結晶化可能なグリセリドは、水素化ヒマシ油つまり「hydrogenated castor oil、ＨＣＯ」、又はその誘導体を含んでもよく、ただし、液体洗剤組成物中で結晶化させることができる。
【０１２６】
ｖ．高分子構造化剤
本発明の流体洗剤組成物は、約０．０１重量％〜約５重量％の天然由来及び／又は合成のポリマー構造化剤を含むことができる。本発明において使用される天然由来のポリマー構造化剤の例としては、ヒドロキシエチルセルロース、疎水変性ヒドロキシエチルセルロース、カルボキシメチルセルロース、多糖類誘導体、及びこれらの混合物が挙げられる。好適な多糖類誘導体としては、ペクチン、アルギネート、アラビノガラクタン（アラビアガム）、カラギーナン、ジェランガム、キサンタンガム、グアーガム、及びこれらの混合物が挙げられる。本発明において使用する合成ポリマー構造化剤の例としては、ポリカルボキシレート、ポリアクリレート、疎水変性エトキシル化ウレタン、疎水変性非イオン性ポリオール、及びこれらの混合物が挙げられる。当該ポリカルボン酸塩ポリマーは、ポリアクリレート、ポリメタクリレート、又はこれらの混合物であってよい。ポリアクリレートは、不飽和モノ−又はジ−炭酸と、（メタ）アクリル酸のＣ１〜Ｃ３０アルキルエステルとのコポリマーであってもよい。当該コポリマーは、商標名Ｃａｒｂｏｐｏｌ  Ａｑｕａ  ３０でＮｏｖｅｏｎ  ｉｎｃから入手可能である。
【０１２７】
セルロースポリマー−本発明の消費者製品はまた、アルキルセルロース、アルキルアルコキシルセルロース、カルボキシアルキルセルロース、アルキルカルボキシアルキルセルロースから選択されるものを含む、１種以上のセルロースポリマーを含んでもよい。セルロースポリマーは、カルボキシメチルセルロース、メチルセルロース、メチルヒドロキシエチルセルロース、メチルカルボキシメチルセルロース、及びこれらの混合物を含む群から選択され得る。カルボキシメチルセルロースは、０．５〜０．９のカルボキシメチル置換度、及び１００，０００Ｄａ〜３００，０００Ｄａの分子量を有し得る。
【０１２８】
漂白剤−本発明の洗剤組成物は、１つ以上の漂白剤を含んでよい。漂白触媒以外の好適な漂白剤としては、光漂白剤、漂白活性化剤、過酸化水素、過酸化水素源、予形成過酸、及びこれらの混合物が挙げられる。概して、漂白剤を用いる場合、本発明の洗剤組成物は、洗剤組成物の約０．１重量％〜約５０重量％、又は更には約０．１重量％〜約２５重量％の漂白剤を含み得る。
【０１２９】
漂白触媒−本発明の洗剤組成物はまた、ペルオキシ酸及び／又はその塩から酸素原子を受け取り、その酸素原子を酸化可能な基質に移送することができる１つ以上の漂白触媒を含み得る。好適な漂白触媒としては、イミニウムカチオン及びポリイオン、イミニウム双性イオン、変性アミン、変性アミンオキシド、Ｎ−スルホニルイミン、Ｎ−ホスホニルイミン、Ｎ−アシルイミン、チアジアゾールジオキシド、ペルフルオロイミン、環状糖ケトン、並びにこれらの混合物が挙げられるが、これらに限定されない。
【０１３０】
増白剤
光学光沢剤若しくは他の光沢剤、又は白化剤は、組成物の約０．０重量１％〜約１．２重量％の濃度で本明細書に記載されている清浄組成物に組み込むことができる。本発明に好適な市販の蛍光増白剤は、サブグループに分類することができ、スチルベン、ピラゾリン、クマリン、ベンゾキサゾール、カルボン酸、メチンシアニン、ジベンゾチオフェン−５，５−ジオキシド、アゾール、５及び６員環の複素環、並びに他の様々な物質の誘導体が挙げられるが、これらに限定されない。
【０１３１】
水溶性フィルム
本発明の組成物はまた、水溶性フィルム内に封入されてもよい。好ましいフィルム材料は、好ましくはポリマー材料である。フィルム材料は、例えば、当該技術分野において公知のように、ポリマー材料の注型成形、吹込成形、押出成形又は吹込押出成形によって得ることができる。
【０１３２】
パウチ材料として使用するのに好適な好ましいポリマー、コポリマー又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。また、ポリマーの混合物をパウチ材料として使用してもよい。
【０１３３】
最も好ましいフィルム材料は、ＭｏｎｏＳｏｌの参照品であるＭ８６３０、Ｍ８９００、Ｈ８７７９で公知の、ＰＶＡフィルムである。
【０１３４】
布地色調剤
組成物は、布地色調剤（色合い剤、青味剤、又は白化剤と称される場合もある）を含み得る。典型的には、色調剤は、布地に青色又は青紫色の色合いをもたらす。色調剤は、単独又は組み合わせのいずれかで使用され、特定の色相の色合いを作り出し、かつ／又は異なる種類の布地に色合いを付けることができる。これは、例えば赤と緑−青の染料とを混合して青又は紫の色合いを生じさせることによりもたらされ得る。色調剤は、任意の既知の化学的部類の染料から選択されてもよく、これには、アクリジン、アントラキノン（多環式キノンを含む）、アジン、予め金属化されたアゾを含むアゾ（例えば、モノアゾ、ジスアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物が挙げられるが、これらに限定されない。
【０１３５】
好適な布地色調剤としては、染料、染料−粘土結合体、並びに有機及び無機顔料が挙げられる。好適な染料としては、低分子染料及びポリマー染料が挙げられる。好適な小分子染料としては、例えば、青、紫、赤、緑、又は黒に分類され、単独で又は組み合わせのいずれかで所望の色合いをもたらす、直接染料、塩基性染料、反応染料若しくは加水分解した反応性染料、溶媒染料、又は分散染料のカラーインデックス（Colour Index、Ｃ．Ｉ．）分類に分類される染料からなる群から選択される小分子染料が挙げられる。好適なポリマー染料としては、共有結合している（結合していると称されることもある）色原体（染料−ポリマー結合体）を含有するポリマー、例えば、ポリマーの主鎖に共重合した色原体を有するポリマー及びこれらの混合物からなる群から選択されるポリマー染料が挙げられる。
【０１３６】
好適な染料粘土コンジュゲートとしては、少なくとも１つのカチオン性／塩基性染料及びスメクタイト粘土、並びにこれらの混合物を含む群から選択される染料粘土コンジュゲートが挙げられる。好適な顔料としては、フラバントロン、インダントロン、１〜４個の塩素原子を含有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は、非置換であっても、Ｃ１〜Ｃ３−アルキル若しくはフェニル若しくは複素環式ラジカルによって置換されていてもよく、これらのフェニル及び複素環式ラジカルは、水溶性を付与しない置換基を更に有してもよい）、アントラピリミジンカルボン酸アミド、ビオラントロン、イソビオラントロン、ジオキサジン顔料、１分子当たり最大２個の塩素原子を含有し得る銅フタロシアニン、１分子当たり最大１４個の臭素原子を含有するポリクロロ−銅フタロシアニン又はポリブロモクロロ−銅フタロシアニン、並びにこれらの混合物からなる群から選択される顔料が挙げられる。
【０１３７】
前述の布地色調剤は、組み合わせて用いることができる（布地色調剤のいずれの混合物も用いることができる）。
【０１３８】
分散香料
本発明の組成物は、分散香料組成物を含み得る。分散香料とは、本明細書では、布地柔軟剤組成物中に自由に分散しており、封入されていない香料組成物を意味する。香料組成物は、１つ以上の香料原材料を含む。香料原材料は、香料組成物を作製するのに使用される個々の化学物質である。香料原材料のタイプ及び数の選択は、最終的な所望の香りに依存する。本発明の文脈では、任意の好適な香料組成物を使用することができる。当業者であれば、香料組成物中での使用に好適な相溶性の香料原材料を認識し、所望の香りを得るための成分の組み合わせを選択する方法を理解するであろう。
【０１３９】
好ましくは、分散香料の濃度は、組成物の総重量に対して０．１％〜１０％、好ましくは、０．３％〜７．５％、より好ましくは、０．５％〜５．０％の濃度である。
【０１４０】
香料組成物は、香料組成物の総重量に対して２．５％〜３０％、好ましくは、５％〜３０％の、３．０未満のｌｏｇＰ及び２５０℃未満の沸点を特徴とする香料原材料を含んでもよい。
【０１４１】
香料組成物は、香料組成物の総重量に対して５％〜３０％、好ましくは、７％〜２５％の、３．０未満のｌｏｇＰ及び２５０℃超の沸点を有することを特徴とする香料原材料を含んでもよい。香料組成物は、香料組成物の総重量に対して３５％〜６０％、好ましくは、４０％〜５５％の、３．０超のｌｏｇＰ及び２５０℃未満の沸点を有することを特徴とする香料原材料を含んでもよい。香料組成物は、香料組成物の総重量に対して１０％〜４５％、好ましくは、１２％〜４０％の、３．０超のｌｏｇＰ及び２５０℃超の沸点を有することを特徴とする香料原材料を含んでもよい。
【０１４２】
香料送達技術
消費者製品は、香料成分による処置された基材への付着及びそこからの放出を安定化及び改良する１つ以上の香料送達技術を含み得る。かかる香料送達技術を使用して、処置された基材からの香料の放出寿命を延長することもできる。香料送達技術、特定の香料送達技術を作製する方法、及びかかる香料送達技術の使用は、米国特許出願公開第２００７／０２７５８６６Ａ１号に開示されている。
【０１４３】
流体布地改良組成物は、約０．００１重量％〜約２０重量％、約０．０１重量％〜約１０重量％、約０．０５重量％〜約５重量％、又は約０．１重量％〜約０．５重量％の香料送達技術を含み得る。当該香料送達技術は、香料カプセル、プロ香料、ポリマー粒子、官能化シリコーン、ポリマー支援型送達、分子支援型送達、繊維支援型送達、アミン支援型送達、シクロデキストリン、デンプン封入アコード、ゼオライト、及び無機担体、並びにこれらの混合物からなる群から選択され得る。
【０１４４】
当該香料送達技術は、香料を壁材料で少なくとも部分的に囲むことによって形成された、マイクロカプセルを含み得る。カプセル壁材料は、メラミン、ポリアクリルアミド、シリコーン、シリカ、ポリスチレン、ポリ尿素、ポリウレタン、ポリアクリレート系材料、ポリアクリル酸エステル系材料、ゼラチン、スチレンリンゴ酸無水物、ポリアミド、芳香族アルコール、ポリビニルアルコール、及びこれらの混合物を含み得る。当該メラミン壁材料は、ホルムアルデヒドで架橋されたメラミン、ホルムアルデヒドで架橋されたメラミン−ジメトキシエタノール、及びこれらの混合物を含み得る。当該ポリアクリレート系壁材料は、メチルメタクリレート／ジメチルアミノメチルメタクリレートから形成されたポリアクリレート、アミンアクリレート及び／又はメタクリレート並びに強酸から形成されたポリアクリレート、カルボン酸アクリレート及び／又はメタクリレートモノマー並びに強塩基から形成されたポリアクリレート、アミンアクリレート及び／又はメタクリレートモノマー並びにカルボン酸アクリレート及び／又はカルボン酸メタクリレートモノマーから形成されたポリアクリレート、並びにこれらの混合物を含み得る。
【０１４５】
当該ポリ尿素壁材料は、ポリイソシアネートを含み得る。ポリイソシアネートは、フェニル、トルオイル、キシリル、ナフチル、若しくはジフェニル部分を含有する芳香族ポリイソシアネート（例えば、トルエンジイソシアネートのポリイソシアヌレート、トルエンジイソシアネートのトリメチロールプロパン付加物、若しくはキシリレンジイソシアネートのトリメチロールプロパン付加物）、脂肪族ポリイソシアネート（例えば、ヘキサメチレンジイソシアネートの三量体、イソホロンジイソシアネートの三量体、若しくはヘキサメチレンジイソシアネートのビウレット）、又はこれらの混合物（例えば、ヘキサメチレンジイソシアネートのビウレット及びキシリレンジイソシアネートのトリメチロールプロパン付加物の混合物）であってもよい。ポリイソシアネートは、架橋されていてもよく、架橋剤は、ポリアミン（例えば、ジエチレントリアミン、ビス（３−アミノプロピル）アミン、ビス（ヘキサメチレン）トリアミン、トリス（２−アミノエチル）アミン、トリエチレンテトラミン、Ｎ，Ｎ’−ビス（３−アミノプロピル）−１，３−プロパンジアミン、テトラエチレンペンタミン、ペンタエチレンヘキサミン、分岐状ポリエチレンイミン、キトサン、ナイシン、ゼラチン、１，３−ジアミノグアニジン一塩酸塩、１，１−ジメチルビグアニド塩酸塩、又はグアニジン炭酸塩）である。
【０１４６】
当該ポリビニルアルコール系壁材料は、架橋された、疎水修飾ポリビニルアルコールを含んでもよく、このポリビニルアルコールは、ｉ）２，０００〜５０，０００Ｄａの分子量を有する第１デキストランアルデヒドと、ｉｉ）５０，０００超〜２，０００，０００Ｄａの分子量を有する第２デキストランアルデヒドとを含む架橋剤を含む。
【０１４７】
香料カプセルは、付着助剤、カチオン性ポリマー、非イオン性ポリマー、アニオン性ポリマー、又はこれらの混合物でコーティングされてもよい。好適なポリマーは、ポリビニルホルムアルデヒド、部分ヒドロキシル化ポリビニルホルムアルデヒド、ポリビニルアミン、ポリエチレンイミン、エトキシル化ポリエチレンイミン、ポリビニルアルコール、ポリアクリレート、及びこれらの組み合わせからなる群から選択され得る。一態様では、１つ以上のタイプのマイクロカプセル、例えば、２つのタイプのマイクロカプセルであって、第１又は第２のマイクロカプセルのうちの一方が、（ａ）他方とは異なる壁材料からなる壁を有するか、（ｂ）他方とは異なる量の壁材料又はモノマーを含む壁を有するか、又は（ｃ）他方とは異なる量の香油成分を含有するか、又は（ｄ）異なる香油を含有する、マイクロカプセルを使用してもよい。
【０１４８】
当該香料送達技術は、アミン化合物（ＡＲＰ）又はチオ化合物を含んでもよい。アミン及び／又はチオ官能基が、１つ以上の香料原材料（ＰＲＭ）と予反応して、化合物を形成する、「反応性」のポリマー性アミン及び／又はポリマー性チオを使用することもできる。典型的には、反応性アミンは、一級及び／又は二級アミンであり、ポリマーの一部であってもモノマー（非ポリマー）であってもよい。また、このようなＡＲＰを追加のＰＲＭと混合して、ポリマー支援型送達及び／又はアミン支援型送達の効果を提供することもできる。ポリマー性アミンの非限定的な例としては、ポリエチレンイミン（ＰＥＩ）などのポリアルキルイミン、又はポリビニルアミン（ＰＶＡｍ）に基づくポリマーが挙げられる。モノマー（非ポリマー）アミンの非限定的な例としては、ヒドロキシルアミン、例えば、２−アミノエタノール及びそのアルキル置換誘導体、並びに芳香族アミン、例えば、アントラニレートが挙げられる。ＡＲＰは、香料と予混合しておいてもよく、リーブオン用途又はリンスオフ用途では別個に添加してもよい。窒素及び／又は硫黄以外のヘテロ原子（例えば、酸素、リン又はセレンなど）を含有する材料を、アミン化合物の代替として使用してもよい。単一の分子が、アミン部分と、代替ヘテロ原子部分（例えば、チオール、ホスフィン、及びセレノール）のうちの１つ以上とを含んでもよい。その効果としては、香料の送達の改善に加えて、香料の徐放を挙げることができる。
【０１４９】
移染防止剤
布地清浄組成物はまた、清浄プロセス中に、ある布地から別の布地に染料が移るのを阻止するのに有効な１つ以上の物質を含んでもよい。一般に、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられ得る。使用される場合、これらの薬剤は、組成物の約０．０００１重量％〜約１０重量％、いくつかの例では、組成物の約０．０１重量％〜約５重量％、好ましくは、組成物の約０．０５重量％〜約２重量％の濃度で使用され得る。
【０１５０】
キレート剤
本明細書において記載されている洗剤組成物はまた、１つ以上の金属イオンのキレート剤を含有してもよい。好適な分子としては、銅、鉄、及び／又はマンガンキレート剤並びにこれらの混合物が挙げられる。このようなキレート剤は、ホスホネート、アミノカルボキシレート、アミノホスホネート、スクシネート、多官能的に置換された芳香族キレート剤、２−ピリジノール−Ｎーオキシド化合物、ヒドロキサム酸、カルボキシメチルイヌリン、及びこれらの混合物からなる群から選択することができる。キレート剤は、酸の形態、又は、アルカリ金属、アンモニウム、及びその置換アンモニウム塩、並びにこれらの混合物を含む、塩の形態で存在することができる。
【０１５１】
キレート剤として有用なアミノカルボン酸塩としては、エチレンジアミンテトラアセテート（ethylenediaminetetracetate、ＥＤＴＡ）；Ｎ−（ヒドロキシエチル）エチレンジアミントリアセテート（ethylenediaminetriacetate、ＨＥＤＴＡ）；ニトリロトリアセテート（nitrilotriacetate、ＮＴＡ）；エチレンジアミンテトラプロプリオナート；トリエチレンテトラアミンヘキサアセテート、ジエチレントリアミン−ペンタアセテート（diethylenetriamine-pentaacetate、ＤＴＰＡ）；メチルグリシン二酢酸（methylglycinediacetic acid、ＭＧＤＡ）；グルタミン酸二酢酸（glutamic acid diacetic acid、ＧＬＤＡ）；エタノールジグリシン；トリエチレンテトラアミン六酢酸（triethylenetetraaminehexaacetic acid、ＴＴＨＡ）；Ｎ−ヒドロキシエチルイミノ二酢酸（N-hydroxyethyliminodiacetic acid、ＨＥＩＤＡ）；ジヒドロキシエチルグリシン（dihydroxyethylglycine、ＤＨＥＧ）；エチレンジアミンテトラプロピオン酸（ethylenediaminetetrapropionic acid、ＥＤＴＰ）、及びこれらの誘導体が挙げられるが、これらに限定されない。
【０１５２】
リン含有キレート化剤としては、以下に限定されないが、ジエチレントリアミンペンタ（メチレンホスホン酸）（ＤＴＰＭＰ  ＣＡＳ１５８２７−６０−８）；エチレンジアミンテトラ（メチレンホスホン酸）（ＥＤＴＭＰ  ＣＡＳ１４２９−５０−１）；２−ホスホノブタン１，２，４−トリカルボン酸（Ｂａｙｈｉｂｉｔ（登録商標）ＡＭ）；ヘキサメチレンジアミンテトラ（メチレンホスホン酸）（ＣＡＳ５６７４４−４７−９）；ヒドロキシ−エタンジホスホン酸（ＨＥＤＰ  ＣＡＳ２８０９−２１−４）；ヒドロキシエタンジメチレンホスホン酸；２−ホスホノ−１，２，４−ブタントリカルボン酸（ＣＡＳ３７９７１−３６−１）；２−ヒドロキシ−２−ホスホノ−酢酸（ＣＡＳ２３７８３−２６−８）；アミノトリ（メチレンホスホン酸）（ＡＴＭＰ  ＣＡＳ６４１９−１９−８）；Ｐ，Ｐ’−（１，２−エタンジイル）ビス−ホスホン酸（ＣＡＳ６１４５−３１−９）；Ｐ，Ｐ’−メチレンビス−ホスホン酸（ＣＡＳ１９８４−１５−２）；トリエチレンジアミンテトラ（メチレンホスホン酸）（ＣＡＳ２８４４４−５２−２）；Ｐ−（１−ヒドロキシ−１−メチルエチル）−ホスホン酸（ＣＡＳ４１６７−１０−６）；ビス（ヘキサメチレントリアミンペンタ（メチレンホスホン酸））（ＣＡＳ３４６９０−００−１）；Ｎ２，Ｎ２，Ｎ６，Ｎ６−テトラキス（ホスホノメチル）−リシン（ＣＡＳ１９４９３３−５６−７、ＣＡＳ１７２７８０−０３−９）、それらの塩、及びこれらの混合物が挙げられる。好ましくは、これらのアミノホスホン酸塩は、約６個を超える炭素原子を有するアルキル又はアルケニル基を含有しない。
【０１５３】
本明細書でやはり使用することができる生分解性キレート化剤は、エチレンジアミンジスクシネート（ethylenediamine disuccinate、「ＥＤＤＳ」）である。ＥＤＤＡの三ナトリウム塩を使用してもよいが、マグネシウム塩などの他の形態も有用であり得る。ＢＡＳＦ製のＴｒｉｌｏｎ  Ｐ（登録商標）などのポリマーキレート剤も有用であり得る。
【０１５４】
多官能性置換芳香族キレート剤も、清浄組成物中に使用することができる。酸形態のこのタイプの化合物は、Ｔｉｒｏｎとしても知られている１，２−ジヒドロキシ−３，５−ジスルホベンゼンなどのジヒドロキシジスルホベンゼンである。他のスルホン酸化カテコールも使用されてもよい。二スルホン酸に加えて、「ｔｉｒｏｎ」という用語はまた、例えば、スルホン酸二ナトリウム塩などの、一又は二スルホン酸塩を含むことができ、これらの塩は、同じコア分子構造を二スルホン酸と共有する。
【０１５５】
本明細書での使用に好適な他のキレート剤は、市販のＤＥＱＵＥＳＴシリーズ、並びにＭｏｎｓａｎｔｏ，Ａｋｚｏ−Ｎｏｂｅｌ，ＤｕＰｏｎｔ，Ｄｏｗのキレート剤、ＢＡＳＦ及びＮａｌｃｏのＴｒｉｌｏｎ（登録商標）シリーズである。
【０１５６】
キレート剤は、本明細書に開示されている洗剤組成物の約０．００５重量％〜約１５重量％、約０．０１重量％〜約５重量％、約０．１重量％〜約３．０重量％、又は約０．２重量％〜約０．７重量％、又は約０．３重量％〜約０．６重量％で、本明細書に開示されている洗剤組成物中に存在してよい。
【０１５７】
衛生及び悪臭
本発明の組成物はまた、リシノール酸亜鉛、チモール、Ｂａｒｄａｃ（登録商標）などの四級アンモニウム塩、ポリエチレンイミン（ＢＡＳＦのＬｕｐａｓｏｌ（登録商標）など）、及びその亜鉛錯体、銀及び銀化合物、特に、Ａｇ＋又はナノ銀分散体をゆっくり遊離するように設計されているもののうちの１つ以上も含み得る。
【０１５８】
充填剤及びキャリア
本明細書に記載されている清浄組成物中に、充填剤及びキャリアを使用してもよい。本明細書で使用するとき、「充填剤」及び「キャリア」という用語は、同じ意味を有し、相互交換可能に使用することができる。
【０１５９】
液体清浄組成物、及び液体構成成分を含む他の形態の清浄組成物（液体含有単位分量の清浄組成物など）は、充填剤又は担体として水及び他の溶媒を含有してもよい。好適な溶剤としては、シロキサン、他のシリコーン、炭化水素、グリコールエーテル、グリセリンエーテルなどのグリセリン誘導体、ペルフッ素化アミン、ペルフッ素化及びヒドロフルオロエーテル溶剤、低揮発性非フッ素化有機溶剤、ジオール溶剤、並びにこれらの混合物を含む、親油性流体も挙げられる。
【０１６０】
メタノール、エタノール、プロパノール、及びイソプロパノールに代表される低分子量の一級又は二級アルコールが好適である。いくつかの例では、一価アルコールは、界面活性剤を可溶化するために使用されてもよく、２〜約６個の炭素原子と２〜約６個のヒドロキシ基とを含有するものなどのポリオール（例えば、１，３−プロパンジオール、エチレングリコール、グリセリン、及び１，２−プロパンジオール）もまた使用され得る。モノエタノールアミン、ジエタノールアミン、及びトリエタノールアミンなどのアミン含有溶剤も使用されてもよい。
【０１６１】
清浄組成物は、組成物の約５重量％〜約９０重量％、及びいくつかの例では、約１０重量％〜約５０重量％のかかる担体を含有してもよい。コンパクト若しくはスーパーコンパクト強力液体又は他の形態の清浄組成物では、水の使用は、この組成物の約４０重量％未満、又は約２０重量％未満、又は約５重量％未満、又は約４重量％未満、又は約３重量％未満、又は約２重量％未満の遊離水であっても、遊離水を実質的に含まなくてもよい（すなわち、無水）。
【０１６２】
粉末若しくはバー状の清浄組成物、又は固体若しくは粉末構成成分を含む形態（粉末含有単位用量の清浄組成物など）では、好適な充填剤としては、硫酸ナトリウム、塩化ナトリウム、粘土、又は他の不活性固体成分が挙げられ得るが、これらに限定されない。
【０１６３】
コンパクト若しくはスーパーコンパクト液体又は粉末の清浄組成物、あるいは他の形態のいずれかの場合、製品中の液体又は固体充填剤の濃度を低減させることで、コンパクト化されていない清浄組成物と比較して、同量の活性化学物質が洗浄液に送達され得るか、又はいくつかの例では、清浄組成物が一層効率的となり、コンパクト化されていない組成物と比較して、より少量の活性化学物質が洗浄液に送達される。洗浄液は、洗浄液中の清浄組成物の濃度が０ｇ／Ｌ〜約６ｇ／Ｌ超となるような量で、清浄組成物を水に接触させることによって形成することができる。いくつかの例では、濃度は、約０．５〜約５ｇ／Ｌ、又は〜約３．０ｇ／Ｌ、又は〜約２．５ｇ／Ｌ、又は〜約２．０ｇ／Ｌ、又は〜約１．５ｇ／Ｌ、又は約０ｇ／Ｌ〜約１．０ｇ／Ｌ、又は約０ｇ／Ｌ〜約０．５ｇ／Ｌであり得る。これらの投与量は限定を意図するものではなく、その他の投与量を使用することもできることは当業者には明白である。
【０１６４】
緩衝系
本明細書に記載されている清浄組成物は、水性清浄操作において使用する間、洗浄水が、約３．０〜約１１．５、及びいくつかの例では、約５．０〜約１０のｐＨを有するように配合され得る。推奨される使用濃度でｐＨを制御する技法としては、緩衝剤、アルカリ、又は酸の使用が挙げられ、これらは当業者には公知である。これらの技術としては、炭酸ナトリウム、クエン酸若しくはクエン酸ナトリウム、乳酸若しくは乳酸塩、モノエタノールアミン若しくは他のアミン、ホウ酸若しくはホウ酸塩、及び技術分野において既知の他のｐＨ調整化合物の使用が挙げられるが、これらに限定されない。
【実施例】
【０１６５】
調製実施例、比較調製実施例、実施例、及び比較例を以下に示す。更に、表１の各成分の量は、別途注記のない限り、純粋な材料の観点での量である。次の実施例にて「部」とは質量部を意味し、「％」とは質量％を意味する。
【０１６６】
次の実施例にて使用されるＭＱ樹脂は、Ｍ単位として（ＣＨ３）３ＳｉＯ１／２単位、及び、Ｑ単位としてＳｉＯ２単位を有したことに注意されたい。
【０１６７】
［調製実施例１］
シリカが十分に分散し消泡組成物が得られるまで、以下の構成成分を、１，０００ｒｐｍにてホモミキサーで撹拌した。
【０１６８】
【表１】
2021502457.tif 000022
【０１６９】
［調製実施例２］
シリカが十分に分散し消泡組成物が得られるまで、以下の構成成分を、２，０００ｒｐｍにてホモミキサーで撹拌した。
【０１７０】
【表２】
2021502457.tif 000023
【０１７１】
［調製実施例３］
シリカが十分に分散し消泡組成物が得られるまで、以下の構成成分を、２，０００ｒｐｍにてホモミキサーで撹拌した。
【０１７２】
【表３】
2021502457.tif 000024
【０１７３】
［調製実施例４］
調製実施例１で得た消泡組成物を８０℃にて２時間加熱し、消泡組成物を得た。
【０１７４】
［調製実施例５］
調製実施例２で得た消泡組成物に、０．１部の水酸化カリウムを添加した。これを１４０℃にて３時間加熱し、消泡組成物を得た。
【０１７５】
［比較調製実施例１］
シリカが十分に分散し消泡組成物が得られるまで、以下の構成成分を、１，０００ｒｐｍにてホモミキサーで撹拌した。
【０１７６】
【表４】
2021502457.tif 000025
【０１７７】
［比較調製実施例２］
シリカが十分に分散し消泡組成物が得られるまで、以下の構成成分を、２，０００ｒｐｍにてホモミキサーで撹拌した。
【０１７８】
【表５】
2021502457.tif 000026
【０１７９】
［比較調製実施例３］
比較調製実施例１で得た消泡組成物を８０℃にて２時間加熱し、消泡組成物を得た。
【０１８０】
［実施例１〜５、比較実施例１〜５］
安定性試験
以下の洗剤組成物Ａ（＊１）、洗剤組成物Ｂ（＊２）、及び洗剤組成物Ｃ（＊３）に、０．５％又は１％の、各消泡組成物を添加した。これをホモミキサーで、２，０００ｒｐｍにて３０秒間撹拌し、消泡剤を含有する洗剤組成物を得た。
【０１８１】
（＊１）洗剤組成物Ａ：１０％のラウリルエーテル硫酸ナトリウム、７％のドデシルベンゼンスルホン酸ナトリウム、５％のトリポリリン酸ナトリウム、及び７８％の水。
【０１８２】
（＊２）洗剤組成物Ｂ：１０％のラウリルエーテル硫酸モノエタノールアミン、１５％のドデシルベンゼンスルホン酸モノエタノールアミン、１０％のラウリル酸ラウレート、及び６５％の水。
【０１８３】
（＊３）洗剤組成物Ｃ：１０％のラウリルアルコールエトキシレート、１５％のドデシルベンゼンスルホン酸ナトリウム、０．５％のアルキルアミンオキシド、及び７４．５％の水。
【０１８４】
その後、消泡剤を含有する、得られた洗剤組成物をガラス瓶に導入し、サーモスタット内で４０℃にて保管し、２週間後の外観の変化を観察し、以下のとおりに評価した：変化無し：良好、わずかな沈殿又は分離：良、明かな沈殿又は分離：不良。
【０１８５】
消泡性の評価試験
ガラス瓶に０．１６部の、消泡剤を含有する各洗剤組成物、４０部の、硬度８０の水道水、及び、１ｇの綿布を導入した。これを、垂直振盪機（ＹＡＹＯＩ．ＣＯ．，ＬＴＤ製）で４０分間、振盪した。次いで、泡の高さを測定し、消泡性（発泡抑制性）を判定した。
【０１８６】
これらの結果を表１に示す。
【０１８７】
【表６】
2021502457.tif 000027
【０１８８】
実施例１〜５、及び比較実施例１〜５の安定性試験、及び消泡性の評価の結果に基づいて、本発明の消泡組成物を用いた洗剤組成物は、より安定した洗剤組成物を形成し、より効果的に泡を制御することができることが確認された。
【０１８９】
実施例６：液体洗剤布地ケア組成物：
液体洗剤布地ケア組成物６Ａ〜６Ｅを、以下に示す比率で、列挙した成分を混合することにより作製する：
【０１９０】
【表７】
2021502457.tif 000028
【０１９１】
実施例７：液体又はゲル洗剤
液体又はゲル洗剤布地ケア組成物７Ａ〜７Ｅを、以下に示す比率で列挙した成分を混合することによって調製する。
【０１９２】
【表８】
2021502457.tif 000029
１Ｓｈｅｌｌ  Ｃｈｅｍｉｃａｌｓ，Ｈｏｕｓｔｏｎ，ＴＸ）から入手可能。
２Ｈｕｎｔｓｍａｎ  Ｃｈｅｍｉｃａｌｓ，Ｓａｌｔ  Ｌａｋｅ  Ｃｉｔｙ，ＵＴから入手可能。
３Ｓａｓｏｌ  Ｃｈｅｍｉｃａｌｓ，Ｊｏｈａｎｎｅｓｂｕｒｇ，Ｓｏｕｔｈ  Ａｆｒｉｃａから入手可能。
４Ｅｖｏｎｉｋ  Ｃｏｒｐｏｒａｔｉｏｎ，Ｈｏｐｅｗｅｌｌ，ＶＡから入手可能。
５Ｔｈｅ  Ｐｒｏｃｔｅｒ  ＆  Ｇａｍｂｌｅ  Ｃｏｍｐａｎｙ，Ｃｉｎｃｉｎｎａｔｉ，ＯＨから入手可能。
６Ｓｉｇｍａ  Ａｌｄｒｉｃｈ  ｃｈｅｍｉｃａｌｓ，Ｍｉｌｗａｕｋｅｅ，ＷＩから入手可能。
７Ｇｅｎｅｎｃｏｒ  Ｉｎｔｅｒｎａｔｉｏｎａｌ，Ｓｏｕｔｈ  Ｓａｎ  Ｆｒａｎｃｉｓｃｏ，ＣＡから入手可能。
８Ｃｉｂａ  Ｓｐｅｃｉａｌｔｙ  Ｃｈｅｍｉｃａｌｓ，Ｈｉｇｈ  Ｐｏｉｎｔ，ＮＣから入手可能。
９ＢＡＳＦ（Ｌｕｄｗｉｇｓｈａｆｅｎ，Ｇｅｒｍａｎｙ）から入手可能な、−ＮＨ当たり２０個のエトキシレート基を有する分子量６００ｇ／ｍｏｌのポリエチレンイミンコア。
１０−ＮＨあたり２４個のエトキシレート基と−ＮＨ当たり１６個のプロポキシレート基とを有する、分子量６００ｇ／ｍｏｌのポリエチレンイミンコア。ＢＡＳＦ（Ｌｕｄｗｉｇｓｈａｆｅｎｍ，Ｇｅｒｍａｎｙ）より販売される。
１１国際公開特許第０１／０５８７４号に記載されており、ＢＡＳＦ（Ｌｕｄｗｉｇｓｈａｆｅｎ，Ｇｅｒｍａｎｙ）から入手可能。
１２Ｔｈｉｘｃｉｎ（登録商標）の商標名でＥｌｅｍｅｎｔｉｓ  Ｓｐｅｃｉａｌｔｉｅｓ（Ｈｉｇｈｓｔｏｗｎ、ＮＪ）から入手可能。
１３Ｎａｌｃｏ  Ｃｈｅｍｉｃａｌｓ，Ｎａｐｅｒｖｉｌｌｅ，ＩＬから入手可能。
１４Ｎｏｖｏｚｙｍｅｓ，Ｃｏｐｅｎｈａｇｅｎ、デンマークから入手可能。
１５ＰＥＧ−ＰＶＡグラフトコポリマーは、ポリエチレンオキシド骨格と複数のポリビニルアセテート側鎖とを有する、ポリビニルアセテートグラフト化ポリエチレンオキシドコポリマーである。ポリエチレンオキシド骨格鎖の分子量は、約６０００であり、ポリエチレンオキシドのポリ酢酸ビニルに対する重量比は、約４０〜６０であり、５０のエチレンオキシド単位当たり１個以下のグラフト点である。ＢＡＳＦ（Ｌｕｄｗｉｇｓｈａｆｅｎ，Ｇｅｒｍａｎｙ）より販売される。
【０１９３】
実施例８：すすぎ時添加型布地ケア組成物
以下に示されている成分を一緒に混合することにより、すすぎ時添加型布地ケア組成物１１Ａ〜１１Ｄを調製する。
【０１９４】
【表９】
2021502457.tif 000030
１  Ｅｖｏｎｉｋ  Ｃｏｒｐｏｒａｔｉｏｎ（Ｈｏｐｅｗｅｌｌ，ＶＡ）から入手可能なＮ，Ｎジ（タローオイルオキシエチル）−Ｎ，Ｎジメチルアンモニウムクロリド。
２  脂肪酸とメチルジエタノールアミンとの反応生成物を塩化メチルにより四級化すると、Ｎ，Ｎ−ジ（タローオイルオキシエチル）Ｎ，Ｎ−ジメチルアンモニウムクロリド及びＮ−（タローオイルオキシエチル）Ｎ−ヒドロキシエチルＮ，Ｎ−ジメチルアンモニウムクロリドの２．５：１モルの混合物が得られる。Ｅｖｏｎｉｋ  Ｃｏｒｐｏｒａｔｉｏｎ（Ｈｏｐｅｗｅｌｌ、ＶＡ）から入手可能。
３  ２５％〜９５％のアミロース及び０．０２〜０．０９の置換度を含有し、５０〜８４の値を有する、水流動性として測定される粘度を有する、通常のトウモロコシデンプン又はバレイショデンプンをベースとするカチオン性デンプン。Ｎａｔｉｏｎａｌ  Ｓｔａｒｃｈ（Ｂｒｉｄｇｅｗａｔｅｒ、ＮＪ）から入手可能。
４  Ｎｉｐｐｏｎ  Ｓｈｏｋｕｂａｉ  Ｃｏｍｐａｎｙ，Ｔｏｋｙｏ，Ｊａｐａｎから商標名Ｅｐｏｍｉｎ（登録商標）１０５０で入手可能。
５  商標名Ｓｅｄｉｐｕｒ（登録商標）５４４でＢＡＳＦ（ＡＧ、Ｌｕｄｗｉｇｓｈａｆｅｎ）から入手可能な、アクリルアミド−ｃｏ−塩化［２−（アクリロイルアミノ）エチル］トリ−メチルアンモニウム（四級ジメチルアミノエチルアクリレート）のコポリマーなどのカチオン性ポリアクリルアミドポリマー。
６  Ａｐｐｌｅｔｏｎ  Ｐａｐｅｒ，Ａｐｐｌｅｔｏｎ，ＷＩから入手可能。
【０１９５】
実施例９：粉末洗剤組成物
【０１９６】
【表１０】
2021502457.tif 000031
【０１９７】
本明細書にて開示された寸法及び値は、列挙された正確な数値に厳密に限定されるものとして理解されるべきではない。むしろ、特に指定されない限り、かかる寸法はそれぞれ、列挙した値と、その値の周辺の機能的に等価な範囲との両方を意味することを意図している。例えば、「４０ｍｍ」として開示される寸法は、「約４０ｍｍ」を意味するものとする。
【０１９８】
「発明を実施するための形態」の中で引用される文献は全て、関連部分において参照により本明細書に組み込まれる。いかなる文献の引用も、それが本発明に対する先行技術であることを認めるものとして解釈されるべきではない。本文献における用語のいずれかの意味又は定義が、参照により組み込まれる文献における同じ用語のいずれかの意味又は定義と相反する限りにおいては、本文献においてその用語に割り当てられた意味又は定義が優先するものとする。
【０１９９】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【国際調査報告】
2021502457.tif 000036
2021502457.tif 000037
2021502457.tif 000038